(57)【要約】【課題】液体の吐出特性を安定化する。【解決手段】互いに積層された上層圧電体３４と下層圧電体３５とを有し、これらの上層圧電体３４と下層圧電体３５の間には駆動電極３３を形成し、上層圧電体３４の表面には共通上電極３６を形成し、下層圧電体３５と振動板２３の間には共通下電極３７を形成した多層構造の圧電素子２６を用い、下層圧電体３５の長手方向両端部を圧力室両端よりも外側に延出させた状態で形成すると共に、上層圧電体３４の長手方向両端部も圧力室両端よりも外側に延出させた状態で形成した。【選択図】　　　図５
2004056085.tif 000002
【特許請求の範囲】
【請求項１】
圧力室となる空部を有する圧力室形成基板の表面に振動板を設け、圧力室形成基板とは反対側の振動板表面であって前記圧力室に対応する位置に圧電素子を形成してなる圧電アクチュエータユニットにおいて、
前記圧電素子は、互いに積層された上層圧電体と下層圧電体とを有し、これらの上層圧電体と下層圧電体の間には駆動電極を形成し、上層圧電体の表面には共通上電極を形成し、下層圧電体と振動板の間には共通下電極を形成した多層構造であり、
前記下層圧電体の長手方向両端部を圧力室両端よりも外側に延出させた状態で形成すると共に、上層圧電体の長手方向両端部も圧力室両端よりも外側に延出させた状態で形成したことを特徴とする圧電アクチュエータユニット。
【請求項２】
前記共通上電極と共通下電極を素子長手方向の外側に延出して互いに導通させると共に、これらの電極における下層圧電体よりも外側の部分を共通導通部とし、
前記下層圧電体の共通導通部側の端部を、同じ側に位置する上層圧電体の端部よりも素子長手方向の外側に延出したことを特徴とする請求項１に記載の圧電アクチュエータユニット。
【請求項３】
前記下層圧電体における素子長手方向外側の端面と上層圧電体における素子長手方向外側の端面とを一連の傾斜面によって構成したことを特徴とする請求項２に記載の圧電アクチュエータユニット。
【請求項４】
圧力室となる空部を有する圧力室形成基板の表面に振動板を設け、圧力室形成基板とは反対側の振動板表面であって前記圧力室に対応する位置に圧電素子を形成してなる圧電アクチュエータユニットにおいて、
前記圧電素子は、互いに積層された上層圧電体と下層圧電体とを有し、これらの上層圧電体と下層圧電体の間には駆動電極を形成し、上層圧電体の表面には共通上電極を形成し、下層圧電体と振動板の間には共通下電極を形成した多層構造であり、
前記上層圧電体の全長を下層圧電体の全長よりも長く設定し、上層圧電体により下層圧電体の長手方向両端を越えて覆ったことを特徴とする圧電アクチュエータユニット。
【請求項５】
上記下層圧電体における長手方向端部の厚さを、長手方向先端に向かう程薄くしたことを特徴とする請求項４に記載の圧電アクチュエータユニット。
【請求項６】
前記下層圧電体の長手方向両端部を圧力室両端よりも外側に延出させた状態で形成すると共に、上層圧電体の長手方向両端部も圧力室両端よりも外側に延出させた状態で形成したことを特徴とする請求項４又は請求項５に記載の圧電アクチュエータユニット。
【請求項７】
前記駆動電極を素子長手方向の外側に延出し、駆動電極における下層圧電体よりも外側の部分を駆動導通部としたことを特徴とする請求項１から請求項６の何れかに記載の圧電アクチュエータユニット。
【請求項８】
外部からの駆動信号を供給するための供給端子に導通される導通電極を振動板表面に形成し、該導通電極に前記駆動導通部を導通させたことを特徴とする請求項７に記載の圧電アクチュエータユニット。
【請求項９】
前記供給端子とは反対側の導通電極の一部を下層圧電体と振動板の間に形成したことを特徴とする請求項８に記載の圧電アクチュエータユニット。
【請求項１０】
前記共通下電極と導通電極とを同一の導電性材料によって作製したことを特徴とする請求項８又は請求項９に記載の圧電アクチュエータユニット。
【請求項１１】
前記共通上電極と共通下電極の少なくとも一方の電極と駆動電極とを、前記圧力室がその長手方向に覆われる位置まで一連に形成したことを特徴とする請求項１から請求項１０の何れかに記載の圧電アクチュエータユニット。
【請求項１２】
前記下層圧電体により共通下電極をその全幅を越えて覆うと共に、前記上層圧電体により駆動電極をその全幅を越えて覆い、
上層圧電体と下層圧電体の少なくとも一方について、駆動電極よりも幅方向外側に位置する幅端部領域の厚さを、駆動電極の幅内に位置する幅中央領域の厚さよりも薄くしたことを特徴とする請求項１から請求項１１の何れかに記載の圧電アクチュエータユニット。
【請求項１３】
前記圧電素子をその幅方向に複数個並べて形成したことを特徴とする請求項１から請求項１２の何れかに記載の圧電アクチュエータユニット。
【請求項１４】
前記各圧電素子の共通導通部を圧電素子の幅方向に延設された共通幹電極によって互いに導通したことを特徴とする請求項１３に記載の圧電アクチュエータユニット。
【請求項１５】
圧力室となる空部を有する圧力室形成基板の表面に振動板を設け、圧力室形成基板とは反対側の振動板表面であって前記圧力室に対応する位置に圧電素子を形成してなる圧電アクチュエータユニットと、
ノズル連通口を介して圧力室に連通されるノズル開口、及び、液体供給口を介して圧力室に連通される共通液室を少なくとも有する流路ユニットとを備え、
圧電素子の変形によって圧力室内の液体に圧力変化を生じさせ、この圧力変動を利用してノズル開口から液滴を吐出させてなる液体噴射ヘッドであって、
前記圧電アクチュエータユニットを、請求項１から請求項１４の何れかに記載の圧電アクチュエータユニットによって構成したことを特徴とする液体噴射ヘッド。
【請求項１６】
互いに積層された上層圧電体と下層圧電体を有し、電場に応じて変形する圧電体層と、
互いに導通された共通上電極及び共通下電極と、駆動信号の供給源に導通される駆動電極を有し、前記圧電体層に付与される電場を発生する電極層とを備え、
前記上層圧電体と下層圧電体との間に駆動電極を形成し、駆動電極とは反対側となる下層圧電体の下部に共通下電極を、駆動電極とは反対側となる上層圧電体の上部に共通上電極をそれぞれ形成した圧電素子であって、
前記上層圧電体の全長を下層圧電体の全長よりも長く設定し、上層圧電体により下層圧電体の長手方向両端を越えて覆ったことを特徴とする圧電素子。
【請求項１７】
上記下層圧電体における長手方向端部の厚さを、長手方向先端に向かう程薄くしたことを特徴とする請求項１６に記載の圧電素子。
【請求項１８】
請求項１６又は請求項１７に記載の圧電素子の製造方法であって、
下層圧電体に対応する細長い印刷パターンを複数設けたマスクを介して共通下電極に重ねて圧電材料を塗布し、該圧電材料を焼成することで下層圧電体を形成する下層圧電体形成工程と、
駆動電極に対応する印刷パターンを設けたマスクを介して下層圧電体に重ねて電極材料を塗布し、該電極材料を焼成することで駆動電極を形成する駆動電極形成工程と、
上層圧電体に対応する細長い印刷パターンを複数設けたマスクを介して駆動電極に重ねて圧電材料を塗布し、該圧電材料を焼成することで上層圧電体を形成する上層圧電体形成工程とを少なくとも含み、
下層圧電体形成工程で用いる印刷パターンの長手方向の全長を、上層圧電体形成工程で用いる印刷パターンの長手方向の全長よりも短く設定したことを特徴とする圧電素子の製造方法。
【発明の詳細な説明】
【０００１】
【発明の属する技術分野】
本発明は、駆動信号の供給によって変形する圧電素子を駆動源とする圧電アクチュエータユニット、及び、この圧電アクチュエータユニットを備えた液体噴射ヘッド、並びに、圧電素子、及び、この圧電素子の製造方法に関する。
【０００２】
【従来の技術】
圧電アクチュエータユニットは、圧電効果を示す圧電材料である、ＢａＴｉＯ３、ＰｂＺｒＯ３、ＰｂＴｉＯ３などの金属酸化物の粉末を圧縮焼成した圧電セラミックス、または高分子化合物を利用した圧電性高分子膜などから成る圧電素子を駆動源とし、この圧電素子の変形によって振動板を撓ませて圧力室の容積を変化させる部材であり、例えば、液体噴射ヘッドやマイクロポンプの部品として好適に用いられている。ここで、液体噴射ヘッドは、ノズル開口から液滴を吐出させるものであり、例えば、プリンタ等の画像記録装置に用いられる記録ヘッド、液晶ディスプレーの製造に用いられる液晶噴射ヘッド、カラーフィルタの製造に用いられる色材噴射ヘッド等がある。また、マイクロポンプは、極く微量の液体を扱うことができる超小型のポンプである。
【０００３】
上記の振動板は厚さが５〜６μｍ前後の極く薄い部材であり、圧電素子は実用化されている単層構造のもので１５μｍ程度の厚さである。従って、振動板と圧電素子を合計した厚さは２０μｍ程度である。このため、圧力室における変形部分のコンプライアンス、即ち、振動板及び圧電素子のコンプライアンスが大きく、圧力室内に存在する液体圧力の多少の変化で容積が変化してしまう可能性がある。また、変形部分のコンプライアンスが大きいと、供給された駆動信号に対する圧電素子の応答性（変形の応答性）が悪くなり、高周波駆動が困難になる。
【０００４】
ここで、変形部分のコンプライアンスを小さくすべく圧電素子を従来よりも厚くすることが考えられるが、単に厚さを増やしただけではその分だけ駆動電圧を高くする必要があり、高周波駆動に適さなくなってしまう。また、この変形部分が撓み難くなってしまうので、液体の圧力変動量が不足してしまう。
【０００５】
【特許文献１】
特開平２−２８９３５２号公報
【特許文献２】
特開平１０−３４９２４号公報
【０００６】
【発明が解決しようとする課題】
そこで、特開平２−２８９３５２号公報や特開平１０−３４９２４号公報に開示されている多層構造の圧電素子を使用することが考えられる。この圧電素子は、圧電体層を上層圧電体と下層圧電体の２層構造とし、上層圧電体と下層圧電体の境界に駆動電極を形成すると共に、上層圧電体の外表面に共通上電極を、下層圧電体の外表面に共通下電極をそれぞれ形成している。
【０００７】
この圧電素子では、上層圧電体と下層圧電体の境界に駆動電極が設けられているので、各層の圧電素子には、駆動電極から各共通電極までの距離（各層圧電体の厚さ）と、駆動電極と各共通電極の電位差とによって定まる強さの電場が付与される。このため、共通電極と駆動電極とで単層の圧電体を挟んだ単層構造の圧電素子、即ち、実用化されている圧電素子と比べた場合、圧電素子全体の厚さを多少厚くして剛性を高めても、従来と同じ駆動電圧で大きく変形させることができる。
【０００８】
しかしながら、上記各公報に記載された多層構造の圧電素子を単に用いただけでは、所望の特性を得ることが困難であった。例えば、液体の吐出特性や送出特性がばらついたり、圧電素子の高周波駆動と液体の吐出量（送出量）とのバランスがとれなかったりしていた。また、電極に断線等が生じ易いという問題も生じた。このため、現実の製品としては、単層の圧電体を共通電極と駆動電極とで挟んだ単層構造の圧電素子を用いることを余儀なくされている。
【０００９】
本発明はこのような事情に鑑みてなされたものであり、その主たる目的は、液体の吐出（送出）特性を安定化することにある。また、本発明の他の目的は、高周波駆動しつつも必要な吐出量（送出量）を得ることにある。また、本発明のさらなる目的は、製造上の信頼性を高めること、並びに、歩留まりを向上させることにある。
【００１０】
【課題を解決するための手段】
本発明は、上記目的を達成するために提案されたものであり、請求項１に記載のものは、圧力室となる空部を有する圧力室形成基板の表面に振動板を設け、圧力室形成基板とは反対側の振動板表面であって前記圧力室に対応する位置に圧電素子を形成してなる圧電アクチュエータユニットにおいて、
前記圧電素子は、互いに積層された上層圧電体と下層圧電体とを有し、これらの上層圧電体と下層圧電体の間には駆動電極を形成し、上層圧電体の表面には共通上電極を形成し、下層圧電体と振動板の間には共通下電極を形成した多層構造であり、
前記下層圧電体の長手方向両端部を圧力室両端よりも外側に延出させた状態で形成すると共に、上層圧電体の長手方向両端部も圧力室両端よりも外側に延出させた状態で形成したことを特徴とする圧電アクチュエータユニットである。
【００１１】
ここで、「上、下」とあるのは、振動板等の支持基板を基準とした位置関係を示している。即ち、支持基板から近い側を「下」とし、支持基板から遠い側を「上」として示している。また、「圧力室に対応する位置」とは、圧力室形成基板、振動板及び圧電素子の積層方向から見て圧電素子と圧力室とが互いに重畳する位置を意味する。
【００１２】
請求項２に記載のものは、前記共通上電極と共通下電極を素子長手方向の外側に延出して互いに導通させると共に、これらの電極における下層圧電体よりも外側の部分を共通導通部とし、
前記下層圧電体の共通導通部側の端部を、同じ側に位置する上層圧電体の端部よりも素子長手方向の外側に延出したことを特徴とする請求項１に記載の圧電アクチュエータユニットである。
【００１３】
請求項３に記載のものは、前記下層圧電体における素子長手方向外側の端面と上層圧電体における素子長手方向外側の端面とを一連の傾斜面によって構成したことを特徴とする請求項２に記載の圧電アクチュエータユニットである。
【００１４】
請求項４に記載のものは、圧力室となる空部を有する圧力室形成基板の表面に振動板を設け、圧力室形成基板とは反対側の振動板表面であって前記圧力室に対応する位置に圧電素子を形成してなる圧電アクチュエータユニットにおいて、
前記圧電素子は、互いに積層された上層圧電体と下層圧電体とを有し、これらの上層圧電体と下層圧電体の間には駆動電極を形成し、上層圧電体の表面には共通上電極を形成し、下層圧電体と振動板の間には共通下電極を形成した多層構造であり、
前記上層圧電体の全長を下層圧電体の全長よりも長く設定し、上層圧電体により下層圧電体の長手方向両端を越えて覆ったことを特徴とする圧電アクチュエータユニットである。
【００１５】
請求項５に記載のものは、上記下層圧電体における長手方向端部の厚さを、長手方向先端に向かう程薄くしたことを特徴とする請求項４に記載の圧電アクチュエータユニットである。
【００１６】
請求項６に記載のものは、前記下層圧電体の長手方向両端部を圧力室両端よりも外側に延出させた状態で形成すると共に、上層圧電体の長手方向両端部も圧力室両端よりも外側に延出させた状態で形成したことを特徴とする請求項４又は請求項５に記載の圧電アクチュエータユニットである。
【００１７】
請求項７に記載のものは、前記駆動電極を素子長手方向の外側に延出し、駆動電極における下層圧電体よりも外側の部分を駆動導通部としたことを特徴とする請求項１から請求項６の何れかに記載の圧電アクチュエータユニットである。
【００１８】
請求項８に記載のものは、外部からの駆動信号を供給するための供給端子に導通される導通電極を振動板表面に形成し、該導通電極に前記駆動導通部を導通させたことを特徴とする請求項７に記載の圧電アクチュエータユニットである。
【００１９】
請求項９に記載のものは、前記供給端子とは反対側の導通電極の一部を下層圧電体と振動板の間に形成したことを特徴とする請求項８に記載の圧電アクチュエータユニットである。
【００２０】
請求項１０に記載のものは、前記共通下電極と導通電極とを同一の導電性材料によって作製したことを特徴とする請求項８又は請求項９に記載の圧電アクチュエータユニットである。
【００２１】
請求項１１に記載のものは、前記共通上電極と共通下電極の少なくとも一方の電極と駆動電極とを、前記圧力室がその長手方向に覆われる位置まで一連に形成したことを特徴とする請求項１から請求項１０の何れかに記載の圧電アクチュエータユニットである。
【００２２】
なお、「長手方向に覆われる位置まで」とは、電極積層方向から見て各電極の先端が圧力室の長手方向の端面と略同一の位置まで形成されている状態、及び、圧力室の長手方向の端面を越えて外側まで形成されている状態の両方を含む。
【００２３】
請求項１２に記載のものは、前記下層圧電体により共通下電極をその全幅を越えて覆うと共に、前記上層圧電体により駆動電極をその全幅を越えて覆い、
上層圧電体と下層圧電体の少なくとも一方について、駆動電極よりも幅方向外側に位置する幅端部領域の厚さを、駆動電極の幅内に位置する幅中央領域の厚さよりも薄くしたことを特徴とする請求項１から請求項１１の何れかに記載の圧電アクチュエータユニットである。
【００２４】
請求項１３に記載のものは、前記圧電素子をその幅方向に複数個並べて形成したことを特徴とする請求項１から請求項１２の何れかに記載の圧電アクチュエータユニットである。
【００２５】
請求項１４に記載のものは、前記各圧電素子の共通導通部を圧電素子の幅方向に延設された共通幹電極によって互いに導通したことを特徴とする請求項１３に記載の圧電アクチュエータユニットである。
【００２６】
請求項１５に記載のものは、圧力室となる空部を有する圧力室形成基板の表面に振動板を設け、圧力室形成基板とは反対側の振動板表面であって前記圧力室に対応する位置に圧電素子を形成してなる圧電アクチュエータユニットと、
ノズル連通口を介して圧力室に連通されるノズル開口、及び、液体供給口を介して圧力室に連通される共通液室を少なくとも有する流路ユニットとを備え、
圧電素子の変形によって圧力室内の液体に圧力変化を生じさせ、この圧力変動を利用してノズル開口から液滴を吐出させてなる液体噴射ヘッドであって、
前記圧電アクチュエータユニットを、請求項１から請求項１４の何れかに記載の圧電アクチュエータユニットによって構成したことを特徴とする液体噴射ヘッドである。
【００２７】
請求項１６に記載のものは、互いに積層された上層圧電体と下層圧電体を有し、電場に応じて変形する圧電体層と、
互いに導通された共通上電極及び共通下電極と、駆動信号の供給源に導通される駆動電極を有し、前記圧電体層に付与される電場を発生する電極層とを備え、
前記上層圧電体と下層圧電体との間に駆動電極を形成し、駆動電極とは反対側となる下層圧電体の下部に共通下電極を、駆動電極とは反対側となる上層圧電体の上部に共通上電極をそれぞれ形成した圧電素子であって、
前記上層圧電体の全長を下層圧電体の全長よりも長く設定し、上層圧電体により下層圧電体の長手方向両端を越えて覆ったことを特徴とする圧電素子である。
【００２８】
請求項１７に記載のものは、上記下層圧電体における長手方向端部の厚さを、長手方向先端に向かう程薄くしたことを特徴とする請求項１６に記載の圧電素子である。
【００２９】
請求項１８に記載のものは、請求項１６又は請求項１７に記載の圧電素子の製造方法であって、
下層圧電体に対応する細長い印刷パターンを複数設けたマスクを介して共通下電極に重ねて圧電材料を塗布し、該圧電材料を焼成することで下層圧電体を形成する下層圧電体形成工程と、
駆動電極に対応する印刷パターンを設けたマスクを介して下層圧電体に重ねて電極材料を塗布し、該電極材料を焼成することで駆動電極を形成する駆動電極形成工程と、
上層圧電体に対応する細長い印刷パターンを複数設けたマスクを介して駆動電極に重ねて圧電材料を塗布し、該圧電材料を焼成することで上層圧電体を形成する上層圧電体形成工程とを少なくとも含み、
下層圧電体形成工程で用いる印刷パターンの長手方向の全長を、上層圧電体形成工程で用いる印刷パターンの長手方向の全長よりも短く（請求項１８に準ずる変更です）設定したことを特徴とする圧電素子の製造方法である。
【００３０】
【発明の実施の形態】
以下、本発明の実施の形態を図面に基づいて説明する。ここでは、圧電素子を用いた記録ヘッド（液体噴射ヘッドの一種）を例に挙げて説明する。図１に示するように、この記録ヘッド１は、流路ユニット２と、複数のアクチュエータユニット３…と、フィルム状の配線基板４とから概略構成されている。そして、流路ユニット２の表面に各アクチュエータユニット３…を横並びに接合し、流路ユニット２とは反対側のアクチュエータユニット３の表面に配線基板４を取り付けている。
【００３１】
流路ユニット２は、図２の断面図に示すように、オリフィスとして機能するインク供給口５及びノズル連通口６の一部となる通孔を開設した供給口形成基板７と、共通インク室（共通液室の一種）８となる通孔及びノズル連通口６の一部となる通孔を開設したインク室形成基板９と、複数のノズル開口１０…を開設したノズルプレート１１から構成されている。これらの供給口形成基板７、インク室形成基板９、及び、ノズルプレート１１は、例えば、ステンレス製の板材をプレス加工することで作製されている。なお、本実施形態では１つの流路ユニット２に３つのアクチュエータユニット３…が接合されているので、インク供給口５、ノズル連通口６、供給口形成基板７、共通インク室８等は、アクチュエータユニット３毎に合計３組形成されている。
【００３２】
そして、流路ユニット２は、インク室形成基板９の一方の表面（図中下側）にノズルプレート１１を、他方の表面（同上側）に供給口形成基板７をそれぞれ配置し、これらの供給口形成基板７、インク室形成基板９、及び、ノズルプレート１１を接合することで作製される。例えば、シート状の接着剤によって各部材を接着することで作製される。
【００３３】
上記のノズル開口１０は、図３に示すように、所定ピッチで複数個列状に開設される。そして、列設された複数のノズル開口１０…によってノズル列１２が構成される。例えば、９２個のノズル開口１０…で１つのノズル列１２が構成される。また、このノズル列１２は、１つのアクチュエータユニット３に対して２列形成される。本実施形態の記録ヘッド１は３つのアクチュエータユニット３…を備えているため、合計６列のノズル列１２…が横並びに形成される。
【００３４】
アクチュエータユニット３は、ヘッドチップとも呼ばれる部材である。このアクチュエータユニット３は、図２に示すように、圧力室２１となる通孔（本発明における空部の一種）を開設した圧力室形成基板２２と、圧力室２１の一部を区画する振動板２３と、供給側連通口２４となる通孔及びノズル連通口６の一部となる通孔を開設した蓋部材２５と、振動板２３の表面に形成されて駆動源として機能する圧電素子２６とによって構成される。これら各部材２２，２３，２５の板厚に関し、圧力室形成基板２２、及び、蓋部材２５は好ましくは５０μｍ以上、より好ましくは１００μｍ以上であり、振動板２３は好ましくは３〜１２μｍ程度であり、本実施形態では４〜６μｍである。
【００３５】
なお、このアクチュエータユニット３において、圧力室形成基板２２、振動板２３、及び、圧電素子２６が本発明の圧電アクチュエータユニットとして機能する。また、振動板２３と圧電素子２６が圧電アクチュエータを構成し、振動板２３が圧電素子２６が設けられる支持基板の一種となる。
【００３６】
このアクチュエータユニット３を作製するにあたり、まず、圧力室形成基板２２の一方の表面に蓋部材２５を、他方の表面に振動板２３をそれぞれ配置し、これらの各部材２２，２３，２５を一体化する。これらの圧力室形成基板２２、振動板２３、及び、蓋部材２５は、アルミナや酸化ジルコニウム等のセラミックスで作製されている。例えば、グリーンシート（未焼成のシート材）に対して切削や打ち抜き等の加工を施して必要な通孔等を形成し、圧力室形成基板２２、振動板２３、及び、蓋部材２５の各シート状前駆体を形成する。そして、各シート状前駆体を積層及び焼成することにより、各シート状前駆体は一体化されて１枚のシート状部材となる。そして、焼成後のシート状部材に対して圧電素子２６等を形成することでセラミックスシートが作製される。
【００３７】
この場合において、各シート状前駆体や圧電素子２６は焼成により一体化されるので、特別な接着処理が不要である。また、各部材の接合面において高いシール性を得ることもできる。
【００３８】
なお、１枚のセラミックスシートには、複数ユニット分の圧力室２１…やノズル連通口６…等が形成されている。換言すれば、このセラミックスシートは、各アクチュエータユニット３…に切断される前のアクチュエータユニット母部材となる。例えば、１つのアクチュエータユニット３となるチップ領域を１枚のセラミックスシート内にマトリクス状に複数設定し、圧電素子２６等の必要な部材を各チップ領域内に形成した後にこのセラミックスシートをチップ領域毎に切断することで、複数のアクチュエータユニット３…が作製される。
【００３９】
上記の圧力室２１は、ノズル列１２とは直交する方向に細長い空部であり、ノズル開口１０…に対応する複数形成されている。即ち、図３に示すように、ノズル列方向に列設されている。そして、各圧力室２１…の一端は、供給側連通口２４及びインク供給口５を通じて共通インク室８に連通している。また、供給側連通口２４とは反対側の圧力室２１の他端は、ノズル連通口６を通じて対応するノズル開口１０に連通する。さらに、この圧力室２１の一部（上側表面）は、振動板２３によって区画されている。
【００４０】
上記の圧電素子２６は、所謂撓み振動モードの素子であり、圧力室２１とは反対側の振動板表面に圧力室２１毎に形成される。この圧電素子２６は、圧力室長手方向に細長いブロック状であり、素子幅方向に複数並べた状態で設けられる。そして、圧電素子２６の長手方向一端に近接させて、共通電極の一部を構成する共通幹電極２７をノズル列方向に延設している。また、圧電素子２６の長手方向他端に近接させて供給端子２８…を設けている。この供給端子２８は、配線基板４の接点端子（図示せず）が導通される部材であり、圧電素子２６…毎に設けられる。
【００４１】
本実施形態における圧電素子２６は、図５に示すように、圧電体層３１と共通枝電極３２と駆動電極３３等によって構成される多層構造であり、駆動電極３３と共通枝電極３２とによって圧電体層３１を挟んでいる。なお、この圧電素子２６の構造については、後で詳しく説明する。
【００４２】
そして、駆動電極３３には供給端子２８を通じて駆動信号の供給源（図示せず）が導通され、共通枝電極３２は共通幹電極２７等を通じて例えば接地電位に調整される。この駆動電極３３に駆動信号が供給されると、駆動電極３３と共通枝電極３２との間には電位差に応じた強さの電場が発生される。この電場を圧電体層３１に付与すると、圧電体層３１は電場の強さに応じて変形する。即ち、駆動電極３３の電位を高くする程、圧電体層３１は電場と直交する方向に収縮し、圧力室２１の容積を少なくするように振動板２３を変形させる。一方、駆動電極３３の電位を低くする程、圧電体層３１は電界と直交する方向に伸長し、圧力室２１の容積を増やすように振動板２３を変形させる。
【００４３】
このアクチュエータユニット３と上記の流路ユニット２とは、互いに接合される。例えば、供給口形成基板７と蓋部材２５との間にシート状接着剤を介在させ、この状態でアクチュエータユニット３を流路ユニット２側に加圧することで接着される。
【００４４】
上記構成の記録ヘッド１は、共通インク室８からインク供給口５、供給側連通口２４、圧力室２１、及び、ノズル連通口６を通じてノズル開口１０に至る一連のインク流路がノズル開口１０毎に形成されている。使用時においてこのインク流路内はインク（液体状のインクであり、本発明の液体の一種。）で満たされており、圧電素子２６を撓ませることで対応する圧力室２１が収縮或いは膨張し、圧力室２１内のインクに圧力変動が生じる。このインク圧力を制御することで、ノズル開口１０からインク滴を吐出させることができる。例えば、定常容積の圧力室２１を一旦膨張させた後に急激に収縮させると、圧力室２１の膨張に伴ってインクが充填され、その後の急激な収縮によって圧力室２１内のインクが加圧されてインク滴が吐出される。
【００４５】
ここで、インク滴の吐出量や吐出速度、吐出方向等を安定化するためには、即ち、インク滴の吐出特性を安定化するためには、定常状態における圧力室２１の容積（定常容積）を一定に保つ必要がある。この定常容積は、圧力室２１の膨張代を規定するので、定常容積が変動してしまうとインク滴の吐出量や吐出速度等も変動してしまう。そして、吐出特性を安定化するためには、圧力室２１における変形部分のコンプライアンス（即ち、振動板２３及び圧電素子２６の全体のコンプライアンス）を小さくし、定常状態におけるインク圧力の変動等の影響を受け難くすることが好ましい。
【００４６】
また、インク滴を高い周波数で吐出させるためにも、この変形部分のコンプライアンスを小さくすることが好ましい。これは、コンプライアンスが小さいと圧電素子２６の変形に対する応答性が向上するからである。さらに、従来よりも高い周波数での駆動に耐えるため、圧電素子２６の剛性を従来よりも高める必要もある。
【００４７】
このような観点から、本実施形態では、多層構造の圧電素子２６を用いている。以下、この点について説明する。
【００４８】
まず、圧電素子２６の構造について詳細に説明する。図５に示すように、この圧電素子２６は所謂ブロック状であり、その幅Ｗ（図７参照）は圧力室２１の幅と略等しく、その長さは圧力室２１の長さよりも多少長い。上記の圧電体層３１は、互いに積層された上層圧電体（外側圧電体）３４及び下層圧電体（内側圧電体）３５から構成される。また、共通枝電極３２は、共通上電極（共通外電極）３６及び共通下電極（共通内電極）３７から構成される。そして、これらの共通枝電極３２と駆動電極３３とが電極層を構成する。
【００４９】
なお、ここでいう「上（外）」或いは「下（内）」とは、振動板２３を基準とした位置関係を示している。即ち、「上（外）」とあるのは振動板２３から遠い側を示し、「下（内）」とあるのは振動板２３に近い側を示している。
【００５０】
上記の駆動電極３３は個別電極として機能し、上層圧電体３４と下層圧電体３５の境界に形成される。また、共通上電極３６及び共通下電極３７は、共通幹電極２７と共に共通電極を構成する。即ち、この共通電極は、共通幹電極２７から複数の共通枝電極３２（共通上電極３６，共通下電極３７）…が延出形成された櫛歯状に形成されている。そして、共通下電極３７は駆動電極３３とは反対側の下層圧電体３５の下部であって振動板２３との間に形成され、共通上電極３６は駆動電極３３とは反対側の上層圧電体３４の上部に形成される。即ち、この圧電素子２６は、振動板２３側から、共通下電極３７、下層圧電体３５、駆動電極３３、上層圧電体３４、共通上電極３６の順で積層された多層構造である。
【００５１】
本実施形態における圧電体層３１の厚さは、幅方向の中央部分にて、上層圧電体３４と下層圧電体３５の２層を合計して約１７μｍである。そして、共通枝電極３２を含めた圧電素子２６の全体の厚さは約２０μｍである。即ち、共通下電極３７が約３μｍであり、共通上電極３６が約０．３μｍである。ここで、共通上電極３６が極めて薄いのは、圧電素子２６の変形時に支障を来さないようにするためである。なお、駆動電極３３は、約２μｍの厚さを有するが、上層圧電体３４と下層圧電体３５との間に埋設されている。
【００５２】
そして、従来の単層構造の圧電素子は素子全体の厚さが約１５μｍであるので、本実施形態では圧電素子２６の厚さが増した分だけ変形部分のコンプライアンスが小さくなっている。これにより、インク圧力の変動等に起因する圧力室２１容積の変動が抑えられると共に、圧電素子２６を高い周波数で駆動しても変形部分を追従させることができる。
【００５３】
上記の共通上電極３６及び共通下電極３７は、駆動信号に拘わらず一定の電位、例えば接地電位に調整される。上記の駆動電極３３は、供給された駆動信号に応じて電位を変化させる。従って、駆動信号の供給によって、駆動電極３３と共通上電極３６との間、及び、駆動電極３３と共通下電極３７との間には、それぞれ向きが反対の電場が生じる。
【００５４】
そして、これらの各電極を構成する材料としては、例えば、金属単体、合金、電気絶縁性セラミックスと金属との混合物等の各種導体が選択されるが、焼成温度において変質等の不具合が生じないことが要求される。本実施形態では、共通上電極３６に金を用い、共通下電極３７及び駆動電極３３に白金を用いている。
【００５５】
上記の上層圧電体３４と下層圧電体３５は共に、例えばジルコン酸チタン酸鉛（ＰＺＴ）を主成分とする圧電材料によって作製されている。そして、上層圧電体３４と下層圧電体３５とは分極方向が反対である。このため、駆動信号印加時の伸縮方向が上層圧電体３４と下層圧電体３５とで揃い、支障なく変形することができる。即ち、上層圧電体３４及び下層圧電体３５は、駆動電極３３の電位を高くする程に圧力室２１の容積を少なくするように振動板２３を撓ませ、駆動電極３３の電位を低くする程に圧力室２１の容積を増やすように振動板２３を撓ませる。
【００５６】
この場合において、圧電素子２６は多層構造であるので、各圧電体層３４，３５に付与される電場は駆動電極３３から共通上電極３６までの距離、或いは、駆動電極３３から共通下電極３７までの距離によって規定される。このため、駆動電圧が同じであっても、単層構造の圧電素子よりも強い電場を各圧電体層３４，３５に付与できる。これにより、圧電素子２６を効率よく変形させることができ、印加電圧に対する変形量を向上させることができる。
【００５７】
また、本実施形態では、定常状態の圧力室容積を一定にするため、圧電素子２６の長手方向両端部を、圧力室２１の長手方向両端を越えて外側まで形成している。即ち、図５に示すように、下層圧電体３５の長手方向両端部を圧力室２１の長手方向両端よりも外側に延出させた状態で形成すると共に、上層圧電体３４の長手方向両端部も圧力室２１の長手方向両端よりも外側に延出させた状態で形成している。そして、圧力室２１よりも長手方向外側に位置する圧電素子２６の両端部（圧電体層３１の両端部。以下、延出部ともいう。）は、圧力室形成基板２２や蓋部材２５によって支持される振動板２３の非変形部で、この振動板２３に接合される。詳しくは、共通下電極３７等の電極層を介して一体化されている。
【００５８】
このように、延出部を振動板２３の非変形部で接合しているため、圧力室２１の変形部分はその全体が振動板２３と圧電素子２６の２層構造となる。このため、変形部分のコンプライアンスが一層小さくなり、定常状態におけるインク圧力の変動をより受け難くなる。従って、圧力室２１の容積は圧電素子２６の撓み量によって規定され、一層精密な容積制御を行うことができる。
【００５９】
なお、この構成では、変形部分が振動板２３と圧電素子２６の２層構造であるので変形し難くなるが、圧電素子２６を多層構造としているので必要十分な変形量を得ることができる。
【００６０】
また、本実施形態では、圧電素子２６の形状、特に、長手方向端部の形状を工夫することにより、電極の断線等が生じ難いように構成している。以下、この点について詳細に説明する。
【００６１】
まず、共通上電極３６について説明する。図５及び図６に示すように、これらの共通上電極３６と共通下電極３７は、素子長手方向の外側に延出され、圧電素子２６の端部を越えた位置で互いに導通されている。即ち、共通下電極３７は振動板２３の表面に共通幹電極２７の形成位置まで一連に形成され、共通上電極３６は上層圧電体３４の素子長手方向の端面及び下層圧電体３５の素子長手方向の端面を通って共通下電極３７に積層される。そして、本実施形態では、この共通上電極３６も共通幹電極２７の形成位置まで一連に形成されている。
【００６２】
従って、共通上電極３６と共通下電極３７とは、下層圧電体３５の端部を越えた位置、即ち、振動板２３における非変形部で互いに導通される。このため、これらの共通上電極３６と共通下電極３７との導通部分には機械的ストレスが掛かり難くなり、導通の信頼性を長期に亘って維持することができる。また、この導通領域において、振動板２３の裏側（即ち、圧電素子形成面とは反対側）には圧力室形成基板２２が位置し、この振動板２３を支持する。このため、振動板２３の平面性を圧力室２１に対応する部分よりも高くすることができ、両電極３６，３７を一様に、即ち、欠損部を生じさせることなく形成することができる。その結果、両電極３６，３７の導通信頼性を高めることができ、歩留まりを向上させることができる。
【００６３】
また、これらの共通上電極３６と共通下電極３７に関し、下層圧電体３５よりも外側の部分が共通導通部３８として機能する。そして、この共通導通部３８と共通幹電極２７とが互いに導通される。即ち、この共通導通部３８を通じて共通枝電極３２（３６，３７）に共通電位を供給している。この共通導通部３８は、振動板２３の非変形部に形成されているので、共通幹電極２７との導通信頼性を長期に亘って維持することができる。さらに、各圧電素子２６…は、上記したように素子幅方向に複数並べて設けられており、各共通導通部３８…の形状は同一である。このため、共通幹電極２７を直線帯状の導体パターンで構成でき、作製が容易である。また、共通幹電極２７には屈曲部が必要無いので断線等の問題も生じ難い。
【００６４】
また、本実施形態では、共通導通部３８側の圧電体層３１の形状に関し、下層圧電体３５の端部を上層圧電体３４の端部よりも素子長手方向の外側に延出している。これは、共通上電極３６の断線を防止するためである。即ち、この共通上電極３６は、上層圧電体３４の上部に形成されているので、共通下電極３７に導通させるためには素子長手方向の端面にも一様に形成する必要がある。
【００６５】
ここで、圧電素子２６が多層構造であるため、素子全体の厚さが従来の単層構造の圧電素子よりも厚くなっている。また、圧電素子２６の変形を効率よく行う観点から共通上電極３６が極めて薄いので、上層圧電体３４の端面と下層圧電体３５の端面とを揃えてしまうと、電極材料の塗布方法を工夫する等しないと端面に共通上電極３６を一様に形成することは困難である。
【００６６】
そして、本実施形態のように、下層圧電体３５の端部を上層圧電体３４の端部よりも外側に延出して階段状に設けると、上下方向の厚さ（積層方向の厚さ）が１層分で済み、マスクパターンを振動板２３の上方からあてて電極材料を塗布する所謂印刷法（厚膜印刷）であっても、共通上電極３６を圧電体層表面に一様に形成できる。従って、簡単な方法で作製できて製造効率を高めることができるし、且つ、導通の信頼性も高めることができる。
【００６７】
次に、駆動電極３３について説明する。この駆動電極３３も素子長手方向の外側（共通導通部３８とは反対側の他側）に延出され、下層圧電体３５よりも外側の部分を駆動導通部３９としている。そして、この駆動導通部３９は供給端子２８の形成位置まで一連に形成され、この供給端子２８に導通されている。
【００６８】
ここで、本実施形態では、供給端子２８に導通される導通電極４０を振動板２３の表面に形成しており、この導通電極４０の表面に駆動導通部３９を形成している。これは、駆動導通部３９と供給端子２８との導通信頼性を高めるためである。即ち、下層圧電体３５の外側端面と振動板表面とは、倒Ｖ字状（図では略直角のＬ字状）に交差している。このような交差面に対して電極を構成する場合、交差部への電極材料の充填が不足しがちであり、断線となってしまう虞がある。
【００６９】
そして、本実施形態のように予め振動板２３の表面に導通電極４０を形成しておき、この導通電極４０の表面に駆動電極３３を形成すると、駆動電極３３と導通電極４０の接触によって駆動電極３３と供給端子２８とが導通される。このため、導通の信頼性をより高めることができる。
【００７０】
また、この導通電極４０の素子長手方向についての形成領域、詳しくは、供給端子２８とは反対側の先端の形成位置に関し、少なくとも下層圧電体３５の先端まで形成されていれば上記した作用効果を奏する。そして、本実施形態では、この先端を、下層圧電体３５の端面を越えて共通下電極３７の手前に位置させている。なお、導通電極４０と下層圧電体３５との間には絶縁領域Ｘが設けられており、互いに電気的に絶縁されている。
【００７１】
このように導通電極４０の一部を下層圧電体３５と振動板２３の間に形成しているのは、各圧電素子２６の形成位置の公差を考慮したためである。即ち、この圧電素子２６の作製は、マスクを用いた印刷法で行われている。例えば、振動板２３の表面に共通下電極３７となる電極材料を所定のパターンで印刷した後に焼成し、次に下層圧電体３５となる圧電材料を共通下電極３７の上に積層されるように印刷して焼成する。以後は、同様な手順で、駆動電極３３、上層圧電体３４、共通上電極３６の印刷及び焼成を順次行う。
【００７２】
このように、圧電素子２６が印刷法で形成されるので、下層圧電体３５の端面が形成される位置には多少なりのばらつき（公差）が生じる。そこで、本実施形態では、導通電極４０の一部を下層圧電体３５と振動板２３の間に形成し、下層圧電体３５の形成位置が多少ばらついても駆動電極３３と導通電極４０とが確実に導通されるように構成している。
【００７３】
また、この導通電極４０は種々の電極材料で形成することができるが、共通下電極３７と同一の電極材料を用いることが好ましい。これは、製造効率を向上させるためである。上記したように、この圧電素子２６は、電極材料や圧電材料の印刷及び焼成を繰り返すことで作製される。そして、導通電極４０を共通下電極３７と同一の電極材料で形成すると、共通下電極３７の形成と導通電極４０の形成とを一度に行うことができる。即ち、１つのマスクパターンに共通下電極３７のパターンと導通電極４０のパターンとを形成することで、共通下電極３７と導通電極４０とを同じ工程で纏めて作製できる。従って、製造効率を向上させることができる。
【００７４】
また、本実施形態では、共通枝電極３２や駆動電極３３の形成範囲や圧電素子２６における幅方向の形状を工夫することにより、変形効率を高めるように構成している。以下、この点について詳細に説明する。
【００７５】
まず、共通枝電極３２や駆動電極３３の形成範囲について説明する。本実施形態では、駆動電極３３、共通上電極３６及び共通下電極３７の各電極を、圧力室２１の長手方向を覆うように一連に形成している。即ち、図５及び図６に示すように、駆動電極３３に関しては、その長さを圧力室２１よりも長く設定し、供給端子２８（駆動導通部３９）から遠い側の圧力室端面を越えた位置まで一連に形成している。また、共通上電極３６及び共通下電極３７に関しても、その長さを圧力室２１よりも長く設定し、共通幹電極２７（共通導通部３８）から遠い側の圧力室端面を越えた位置まで一連に形成している。これにより、これらの各電極の重畳領域、即ち、圧電体層３１が変形し得る活性領域ＬＡの内側に圧力室２１が位置する。言い換えれば、電極積層方向から見て活性領域ＬＡの範囲内に圧力室２１が重畳した状態となる。
【００７６】
このように、活性領域ＬＡの範囲内に圧力室２１が位置すると、上記した変形部分はその全体（即ち、圧力室２１を区画する部分）で撓む。言い換えれば、振動板２３の非変形部よりも内側の圧力室２１の範囲内で撓む。これにより、圧力室２１の容積変化量を可及的に大きくすることができ、インク滴の吐出量増加や高粘度のインクの吐出に寄与する。
【００７７】
なお、この例では、共通上電極３６と共通下電極３７の両方が圧力室２１の長手方向を覆うように形成されていたが、少なくとも一方の電極が圧力室２１の長手方向を覆うように形成されていればよい。また、各電極は、圧力室２１の端面を越えて一連に形成されていたが、電極積層方向から見て圧力室２１の端面と面一となる位置まで形成されていれば同様の効果を奏する。
【００７８】
次に、圧電素子２６における幅方向の形状について説明する。本実施形態では、駆動電極３３よりも幅方向外側に位置する幅端部領域の厚さを、駆動電極３３の幅内に位置する幅中央領域の厚さよりも薄くしている点に特徴がある。
【００７９】
図７は圧電素子２６を電極幅方向（短尺方向）に切断した図である。この圧電素子２６では、下層圧電体３５により共通下電極３７をその全幅を越えて覆うと共に、上層圧電体３４により駆動電極３３をその全幅を越えて覆っている。従って、駆動電極３３は、その大部分が両圧電体層３４，３５内に埋設された状態となる。また、駆動電極３３と共通下電極３７との間には電気絶縁性を有する下層圧電体３５が存在するので、駆動電極３３と共通下電極３７との短絡を確実に防止することもできる。
【００８０】
この圧電素子２６では、駆動電極３３よりも幅方向外側に位置する幅端部領域ＷＬ，ＷＲの厚さを、駆動電極３３の幅内に位置する幅中央領域ＷＣの厚さよりも薄く構成している。ここで、幅中央領域ＷＣは、駆動電極３３の幅方向両端のそれぞれから上下方向に設定される一対の第１仮想線Ｌ１，Ｌ１の範囲内の部分である。また、幅端部領域ＷＬ，ＷＲは、この第１仮想線Ｌ１よりも幅方向外側の部分である。さらに、図７において、幅中央領域ＷＣよりも左側の部分を左幅端部領域ＷＬとし、幅中央領域ＷＣよりも右側の部分を右幅端部領域ＷＲとする。
【００８１】
そして、上左端領域３４Ｌの厚さ及び上右端領域３４Ｒの厚さを上幅中央領域３４Ｃの厚さよりも薄く設定し、下左端領域３５Ｌの厚さ及び下右端領域３５Ｒの厚さを下幅中央領域３５Ｃの厚さよりも薄く設定すると、幅端部領域ＷＬ，ＷＲにおける各圧電体層３４，３５の応力が幅中央領域ＷＣにおける各圧電体層３４，３５の応力よりも小さくなる。このため、幅端部領域ＷＬ，ＷＲの部分が幅中央領域ＷＣの部分よりも撓み易くなり、圧電素子２６を効率よく変形させることができる。
【００８２】
ところで、本発明は、上記実施形態に限定されるものではなく、特許請求の範囲の記載に基づいて種々の変形が可能である。
【００８３】
例えば、図８に示す変形例のように、上層圧電体３４´の全長を下層圧電体３５´の全長よりも長く設定し、上層圧電体３４´によって下層圧電体３５´の長手方向両端を越えて覆うように構成してもよい。
【００８４】
このように、上層圧電体３４´で下層圧電体３５´を覆うと、共通導通部３８側に関しては、上層圧電体３４´の端部表面が比較的なだらかな傾斜面（彎曲面）を構成する。即ち、共通上電極３６の形成面に段差等が生じ難くなり、滑らかに設けることができる。これにより、共通上電極３６を上層圧電体３４´の端部表面に一様に設けることができ、欠損部の発生等を防止できて製造上の信頼性を高めることができる。そして、上層圧電体３４´の端部表面を滑らかに構成するという観点からすれば、下層圧電体３５´における長手方向端部の厚さを、長手方向先端に向かう程薄くすることが好ましい。
【００８５】
一方、駆動電極３３側に関しては、導通電極４０と駆動電極３３とが重なる場所、具体的には、下層圧電体３５´を越えてすぐの場所で上層圧電体３４´が駆動電極３３を覆う。これにより、上層圧電体３４´の先端部分が駆動電極３３の保護層としても機能し、駆動電極３３の劣化や剥離を防止し、駆動電極３３と導通電極４０の導通状態をより確実なものとすることができる。そして、この駆動電極３３側に関しても下層圧電体３５´における長手方向端部の厚さを、長手方向先端に向かう程薄くすることが好ましい。これは、駆動電極３３と導通電極４０とを確実に導通させるためである。即ち、下層圧電体３５´の端部を漸次薄く構成することで、下層圧電体３５´の端面がなだらかな傾斜面となり、駆動電極３３を一様に設けることが容易になる。これにより、製造上の信頼性を高めることができる。
【００８６】
そして、この変形例の圧電素子２６を作製するにあたっては、印刷パターン（即ち、開口部）の形状が異なる２種類のマスクを用いるのが簡便でよい。例えば、図９に示すように、下層圧電体３５´に対応する細長い印刷パターンＰ１を複数設けた第１のマスクＭ１と、上層圧電体３４´に対応する細長い印刷パターンＰ２を複数設けた第２のマスクＭ２とを用いる。
【００８７】
ここで、印刷パターンＰ１は、その長さＰＬ１が下層圧電体３５´の素子長手方向の長さに設定され、その幅ＰＷが圧電素子２６の幅に設定された矩形状（細長い帯状）の開口部であり、その幅方向に複数並べられた状態で設けられている。また、印刷パターンＰ２は、その長さＰＬ２が上層圧電体３４´の素子長手方向の長さに設定され、その幅ＰＷが圧電素子２６の幅に設定された矩形状の開口部である。言い換えると、この印刷パターンＰ２は、その長さＰＬ２が印刷パターンＰ１の長さＰＬ１よりも長く、その幅ＰＷが印刷パターンＰ１と同じ幅に設定された矩形状の開口部である。そして、この印刷パターンＰ２も、印刷パターンＰ１と同様に、その幅方向に複数並べられた状態で設けられている。
【００８８】
次に、これらのマスクＭ１，Ｍ２を用いて変形例の圧電素子２６を作製する手順について説明する。
【００８９】
この場合、まず、共通下電極形成工程にて共通下電極３７を焼成後のシート状部材に形成する。例えば、焼成後のシート状部材における振動板表面に、共通下電極３７及び導通電極４０用の印刷パターンを設けたマスクを載置し、このマスクを介してペースト状の電極材料を振動板表面に塗布する。電極材料を塗布したならば、この電極材料を焼成して共通下電極３７及び導通電極４０を形成する。
【００９０】
これらの共通下電極３７及び導通電極４０を形成したならば、下層圧電体形成工程に移行して下層圧電体３５を形成する。この下層圧電体形成工程では、これらの電極３７，４０上に印刷パターンＰ１が重なるように第１のマスクＭ１を載置し、このマスクを介してペースト状の圧電材料を塗布する。これらの電極３７，４０上に圧電材料を塗布したならば、この圧電材料を焼成して下層圧電体３５´を形成する。
【００９１】
下層圧電体３５´を形成したならば、駆動電極形成工程に移行して駆動電極３３を形成する。この駆動電極形成工程では、下層圧電体３５´上に駆動電極用の印刷パターンが重なるようにマスクを載置し、このマスクを介してペースト状の電極材料を塗布する。そして、これらの下層圧電体３５´上に電極材料を塗布したならば、この電極材料を焼成して駆動電極３３を形成する。
【００９２】
駆動電極３３を形成したならば、上層圧電体形成工程に移行して上層圧電体３４´を形成する。この上層圧電体形成工程では、下層圧電体３５´の長手方向両端が印刷パターンＰ２の長手方向内側に収まるように第２のマスクＭ２を載置し、このマスクＭ２を介してペースト状の圧電材料を塗布する。即ち、塗布した圧電材料によって下層圧電体３５´の長手方向両端が埋設されるように覆う。そして、圧電材料を塗布したならば、この電極材料を焼成して上層圧電体３４´を形成する。
【００９３】
以後は、同様な手順で、共通上電極３６，共通幹電極２７，供給端子２８等を形成する。この場合において、上層圧電体３４´により下層圧電体３５´の長手方向両端を覆っているので、上記したように、上層圧電体３４´の両端部表面が比較的滑らかになり、共通上電極３６を一様に（必要な所に欠損なく）設けることができる。また、駆動電極３３を上方から覆うので、駆動電極３３と導通電極４０の電気的導通の信頼性を高めることができる。
【００９４】
また、図１０（ａ）に示すように、供給端子２８を端子基板４１上に形成し、導通電極４０´の供給端子２８側の部分を端子基板４１上に形成してもよい。この場合において、端子基板４１は導電性を有する焼成材料、例えば、銀ペーストを用いて作製することが好ましい。
【００９５】
また、この図に示すように、供給端子２８側については、上層圧電体３４の端面と下層圧電体３５の端面を面一に形成してもよい。
【００９６】
また、図１０（ｂ）に示すように、共通幹電極２７（共通導通部３８）側に関し、下層圧電体３５における素子長手方向外側の端面と上層圧電体３４における素子長手方向外側の端面とを一連の傾斜面Ｙによって構成してもよい。このように構成すると、断線の要因となり得る凹凸（段差）が生じ難いので、共通上電極３６をこの傾斜面Ｙ上に一様に形成し易い。従って、駆動導通部３８（共通上電極３６）の断線防止に寄与する。
【００９７】
なお、以上は、液体噴射ヘッドの一種である記録ヘッド１を例に挙げて説明したが、本発明は、液晶噴射ヘッドや色材噴射ヘッド等といった他の液体噴射ヘッド、或いは、これらの液体噴射ヘッドに用いられる圧電アクチュエータユニット及び圧電素子にも適用できる。また、マイクロポンプ等の各種装置に用いられる圧電アクチュエータユニット及び圧電素子にも適用することができる。
【００９８】
【発明の効果】
以上説明したように、本発明によれば以下の効果を奏する。
【００９９】
即ち、互いに積層された上層圧電体と下層圧電体とを有し、これらの上層圧電体と下層圧電体の間には駆動電極を形成し、上層圧電体の表面には共通上電極を形成し、下層圧電体と振動板の間には共通下電極を形成した多層構造の圧電素子を用い、下層圧電体の長手方向両端部を圧力室両端よりも外側に延出させた状態で形成すると共に、上層圧電体の長手方向両端部も圧力室両端よりも外側に延出させた状態で形成したので、振動板と圧電素子とで構成される圧力室の変形部分のコンプライアンスを小さくすることができ、定常状態における圧力室容積の変動を確実に抑えることができる。これにより、液体の吐出特性や送出特性を安定化することができる。また、変形部分のコンプライアンスを小さくすることができることから高周波駆動にも適する。
【０１００】
さらに、圧電素子が多層構造であるので変形効率を高めることができる。これにより、コンプライアンスの減少に起因する変形部分の変形量減少を補うことができる。従って、高周波駆動しつつも必要量の液体を吐出或いは送液することができる。
【０１０１】
また、下層圧電体の共通導通部側の端部を、同じ側に位置する上層圧電体の端部よりも素子長手方向の外側に延出した場合には、共通上電極の断線防止が図れ、歩留まりの向上が図れる。
【０１０２】
また、上層圧電体の全長を下層圧電体の全長よりも長く設定し、上層圧電体により下層圧電体の長手方向両端を越えて覆った場合には、上層圧電体の共通上電極形成面に段差等が生じ難くなり、滑らかに設けることができる。これにより、共通上電極を一様に設けることができ、欠損部の発生等を防止できて製造上の信頼性を高めることができる。
【０１０３】
また、共通上電極と共通下電極を素子長手方向の外側に延出して互いに導通させると共に、これらの電極における下層圧電体よりも外側の部分を共通導通部とし、駆動電極を共通導通部とは反対側となる素子長手方向の外側に延出した場合、及び、駆動電極における下層圧電体よりも外側の部分を駆動導通部とした場合には、共通導通部や駆動導通部を変形部分から外れた非変形部に形成できる。このため、当該部分に端子や電極を設けて導通させても、その導通部分の接続信頼性を長期間に亘って維持することができる。
【０１０４】
また、供給端子に導通される導通電極を振動板表面に形成し、該導通電極の表面に駆動導通部を形成した場合には、駆動導通部の断線防止が図れ、歩留まりの向上が図れる。
【０１０５】
また、共通上電極と共通下電極の少なくとも一方の電極と駆動電極とを、圧力室がその長手方向に覆われる位置まで一連に形成した場合には、圧力室の変形部分全体を変形させることができ、必要な吐出量（送液量）が確保できる。
【０１０６】
また、下層圧電体により共通下電極をその全幅を越えて覆うと共に、上層圧電体により駆動電極をその全幅を越えて覆い、上層圧電体と下層圧電体の少なくとも一方について、駆動電極よりも幅方向外側に位置する幅端部領域の厚さを、駆動電極の幅内に位置する幅中央領域の厚さよりも薄くした場合には、変形部分における変形効率を高めることができ、必要な吐出量（送液量）が確保できる。
【図面の簡単な説明】
【図１】記録ヘッドの構成を説明する分解斜視図である。
【図２】アクチュエータユニット及び流路ユニットを説明する断面図である。
【図３】ノズルプレートを説明する部分拡大図である。
【図４】アクチュエータユニットを圧電素子側から見た斜視図である。
【図５】（ａ）は圧電素子の平面図、（ｂ）は長手方向に切断した圧電素子の断面図である。
【図６】（ａ）は供給端子側の圧電素子の端部構造を示す部分拡大断面図、（ｂ）は共通幹電極側の圧電素子の端部構造を示す部分拡大断面図である。
【図７】（ａ），（ｂ）は、圧電素子を幅方向に切断した断面図である。
【図８】変形例を説明する図であり、（ａ）は供給端子側の圧電素子の端部構造を示す部分拡大断面図、（ｂ）は共通幹電極側の圧電素子の端部構造を示す部分拡大断面図である。
【図９】（ａ）及び（ｂ）は、変形例の圧電素子を作製する際に用いるマスクを説明する図である。
【図１０】他の変形例を説明する図であり、（ａ）は、供給端子側の圧電素子の端部構造を示す部分拡大断面図（ｂ）は、共通幹電極側の圧電素子の端部構造を示す部分拡大断面図である。
【符号の説明】
１　記録ヘッド
２　流路ユニット
３　アクチュエータユニット
４　配線基板
５　インク供給口
６　ノズル連通口
７　供給口形成基板
８　共通インク室
９　インク室形成基板
１０　ノズル開口
１１　ノズルプレート
１２　ノズル列
２１　圧力室
２２　圧力室形成基板
２３　振動板
２４　供給側連通口
２５　蓋部材
２６　圧電素子
２７　共通幹電極
２８　供給端子
３１　圧電体層
３２　共通枝電極
３３　駆動電極
３４，３４´　上層圧電体
３５，３５´　下層圧電体
３６　共通上電極
３７　共通下電極
３８　共通導通部
３９　駆動導通部
４０，４０´　導通電極
４１　端子基板
【図１】
2004056085.tif 000003
【図２】
2004056085.tif 000004
【図３】
2004056085.tif 000005
【図４】
2004056085.tif 000006
【図５】
2004056085.tif 000007
【図６】
2004056085.tif 000008
【図７】
2004056085.tif 000009
【図８】
2004056085.tif 000010
【図９】
2004056085.tif 000011
【図１０】
2004056085.tif 000012
【手続補正書】
【提出日】平成15年6月10日(2003.6.10)
【手続補正１】
【補正対象書類名】明細書
【補正対象項目名】全文
【補正方法】変更
【補正の内容】
【発明の詳細な説明】
【特許請求の範囲】
【請求項１】圧力室となる空部を有する圧力室形成基板の表面に振動板を設け、圧力室形成基板とは反対側の振動板表面であって前記圧力室に対応する位置に圧電素子を形成してなる圧電アクチュエータユニットにおいて、
前記圧電素子は、互いに積層された上層圧電体と下層圧電体とを有し、これらの上層圧電体と下層圧電体の間には第１の電極を形成し、上層圧電体の表面には第２の電極を形成し、下層圧電体と振動板の間には第３の電極を形成した多層構造であり、
前記下層圧電体の長手方向両端部を圧力室両端よりも外側に延出させた状態で形成すると共に、上層圧電体の長手方向両端部も圧力室両端よりも外側に延出させた状態で形成したことを特徴とする圧電アクチュエータユニット。
【請求項２】前記第２の電極と第３の電極を素子長手方向の外側に延出して互いに導通させると共に、これらの電極における下層圧電体よりも外側の部分を第１導通部とし、
前記下層圧電体の第１導通部側の端部を、同じ側に位置する上層圧電体の端部よりも素子長手方向の外側に延出したことを特徴とする請求項１に記載の圧電アクチュエータユニット。
【請求項３】前記下層圧電体における素子長手方向外側の端面と上層圧電体における素子長手方向外側の端面とを一連の傾斜面によって構成したことを特徴とする請求項２に記載の圧電アクチュエータユニット。
【請求項４】圧力室となる空部を有する圧力室形成基板の表面に振動板を設け、圧力室形成基板とは反対側の振動板表面であって前記圧力室に対応する位置に圧電素子を形成してなる圧電アクチュエータユニットにおいて、
前記圧電素子は、互いに積層された上層圧電体と下層圧電体とを有し、これらの上層圧電体と下層圧電体の間には第１の電極を形成し、上層圧電体の表面には第２の電極を形成し、下層圧電体と振動板の間には第３の電極を形成した多層構造であり、
前記上層圧電体の全長を下層圧電体の全長よりも長く設定し、上層圧電体により下層圧電体の長手方向両端を越えて覆ったことを特徴とする圧電アクチュエータユニット。
【請求項５】前記下層圧電体における長手方向端部の厚さを、長手方向先端に向かう程薄くしたことを特徴とする請求項４に記載の圧電アクチュエータユニット。
【請求項６】前記下層圧電体の長手方向両端部を圧力室両端よりも外側に延出させた状態で形成すると共に、上層圧電体の長手方向両端部も圧力室両端よりも外側に延出させた状態で形成したことを特徴とする請求項４又は請求項５に記載の圧電アクチュエータユニット。
【請求項７】前記第１の電極を素子長手方向の外側に延出し、第１の電極における下層圧電体よりも外側の部分を第２導通部としたことを特徴とする請求項１から請求項６の何れかに記載の圧電アクチュエータユニット。
【請求項８】前記第２導通部に導通される第４の電極を振動板表面に形成したことを特徴とする請求項７に記載の圧電アクチュエータユニット。
【請求項９】前記第４の電極を、外部からの駆動信号を供給するための供給端子に導通させたことを特徴とする請求項８に記載の圧電アクチュエータユニット。
【請求項１０】前記供給端子とは反対側の第４の電極の一部を下層圧電体と振動板の間に形成したことを特徴とする請求項８又は請求項９に記載の圧電アクチュエータユニット。
【請求項１１】前記第３の電極と第４の電極とを同一の導電性材料によって作製したことを特徴とする請求項８から請求項１０の何れかに記載の圧電アクチュエータユニット。
【請求項１２】前記第２の電極と第３の電極の少なくとも一方の電極と第１の電極とを、前記圧力室がその長手方向に覆われる位置まで一連に形成したことを特徴とする請求項１から請求項１１の何れかに記載の圧電アクチュエータユニット。
【請求項１３】前記下層圧電体により第３の電極をその全幅を越えて覆うと共に、前記上層圧電体により第１の電極をその全幅を越えて覆い、
上層圧電体と下層圧電体の少なくとも一方について、第１の電極よりも幅方向外側に位置する幅端部領域の厚さを、第１の電極の幅内に位置する幅中央領域の厚さよりも薄くしたことを特徴とする請求項１から請求項１２の何れかに記載の圧電アクチュエータユニット。
【請求項１４】前記圧電素子をその幅方向に複数個並べて形成したことを特徴とする請求項１から請求項１３の何れかに記載の圧電アクチュエータユニット。
【請求項１５】前記各圧電素子の第１導通部を圧電素子の幅方向に延設された幹電極によって互いに導通したことを特徴とする請求項１４に記載の圧電アクチュエータユニット。
【請求項１６】圧力室となる空部を有する圧力室形成基板の表面に振動板を設け、圧力室形成基板とは反対側の振動板表面であって前記圧力室に対応する位置に圧電素子を形成してなる圧電アクチュエータユニットと、
ノズル連通口を介して圧力室に連通されるノズル開口、及び、液体供給口を介して圧力室に連通される共通液室を少なくとも有する流路ユニットとを備え、
圧電素子の変形によって圧力室内の液体に圧力変化を生じさせ、この圧力変動を利用してノズル開口から液滴を吐出させてなる液体噴射ヘッドであって、
前記圧電アクチュエータユニットを、請求項１から請求項１５の何れかに記載の圧電アクチュエータユニットによって構成したことを特徴とする液体噴射ヘッド。
【請求項１７】互いに積層された上層圧電体と下層圧電体を有し、電場に応じて変形する圧電体層と、
互いに導通された第２の電極及び第３の電極と、駆動信号の供給源に導通される第１の電極を有し、前記圧電体層に付与される電場を発生する電極層とを備え、
前記上層圧電体と下層圧電体との間に第１の電極を形成し、第１の電極とは反対側となる下層圧電体の下部に第３の電極を、第１の電極とは反対側となる上層圧電体の上部に第２の電極をそれぞれ形成した圧電素子であって、
前記上層圧電体の全長を下層圧電体の全長よりも長く設定し、上層圧電体により下層圧電体の長手方向両端を越えて覆ったことを特徴とする圧電素子。
【請求項１８】上記下層圧電体における長手方向端部の厚さを、長手方向先端に向かう程薄くしたことを特徴とする請求項１７に記載の圧電素子。
【請求項１９】請求項１７又は請求項１８に記載の圧電素子の製造方法であって、
下層圧電体に対応する細長い印刷パターンを複数設けたマスクを介して第３の電極に重ねて圧電材料を塗布し、該圧電材料を焼成することで下層圧電体を形成する下層圧電体形成工程と、
第１の電極に対応する印刷パターンを設けたマスクを介して下層圧電体に重ねて電極材料を塗布し、該電極材料を焼成することで第１の電極を形成する第１電極形成工程と、
上層圧電体に対応する細長い印刷パターンを複数設けたマスクを介して第１の電極に重ねて圧電材料を塗布し、該圧電材料を焼成することで上層圧電体を形成する上層圧電体形成工程とを少なくとも含み、
下層圧電体形成工程で用いる印刷パターンの長手方向の全長を、上層圧電体形成工程で用いる印刷パターンの長手方向の全長よりも短く設定したことを特徴とする圧電素子の製造方法。
【発明の詳細な説明】
【０００１】
【発明の属する技術分野】
本発明は、駆動信号の供給によって変形する圧電素子を駆動源とする圧電アクチュエータユニット、及び、この圧電アクチュエータユニットを備えた液体噴射ヘッド、並びに、圧電素子、及び、この圧電素子の製造方法に関する。
【０００２】
【従来の技術】
圧電アクチュエータユニットは、圧電効果を示す圧電材料である、ＢａＴｉＯ３、ＰｂＺｒＯ３、ＰｂＴｉＯ３などの金属酸化物の粉末を圧縮焼成した圧電セラミックス、または高分子化合物を利用した圧電性高分子膜などから成る圧電素子を駆動源とし、この圧電素子の変形によって振動板を撓ませて圧力室の容積を変化させる部材であり、例えば、液体噴射ヘッドやマイクロポンプの部品として好適に用いられている。ここで、液体噴射ヘッドは、ノズル開口から液滴を吐出させるものであり、例えば、プリンタ等の画像記録装置に用いられる記録ヘッド、液晶ディスプレーの製造に用いられる液晶噴射ヘッド、カラーフィルタの製造に用いられる色材噴射ヘッド等がある。また、マイクロポンプは、極く微量の液体を扱うことができる超小型のポンプである。
【０００３】
上記の振動板は厚さが５〜６μｍ前後の極く薄い部材であり、圧電素子は実用化されている単層構造のもので１５μｍ程度の厚さである。従って、振動板と圧電素子を合計した厚さは２０μｍ程度である。このため、圧力室における変形部分のコンプライアンス、即ち、振動板及び圧電素子のコンプライアンスが大きく、圧力室内に存在する液体圧力の多少の変化で容積が変化してしまう可能性がある。また、変形部分のコンプライアンスが大きいと、供給された駆動信号に対する圧電素子の応答性（変形の応答性）が悪くなり、高周波駆動が困難になる。
【０００４】
ここで、変形部分のコンプライアンスを小さくすべく圧電素子を従来よりも厚くすることが考えられるが、単に厚さを増やしただけではその分だけ駆動電圧を高くする必要があり、高周波駆動に適さなくなってしまう。また、この変形部分が撓み難くなってしまうので、液体の圧力変動量が不足してしまう。
【０００５】
そこで、特開平２−２８９３５２号公報（特許文献１）や特開平１０−３４９２４号公報（特許文献２）に開示されている多層構造の圧電素子を使用することが考えられる。この圧電素子は、圧電体層を上層圧電体と下層圧電体の２層構造とし、上層圧電体と下層圧電体の境界に駆動電極を形成すると共に、上層圧電体の外表面に共通上電極を、下層圧電体の外表面に共通下電極をそれぞれ形成している。
【０００６】
この圧電素子では、上層圧電体と下層圧電体の境界に駆動電極が設けられているので、各層の圧電素子には、駆動電極から各共通電極までの距離（各層圧電体の厚さ）と、駆動電極と各共通電極の電位差とによって定まる強さの電場が付与される。このため、共通電極と駆動電極とで単層の圧電体を挟んだ単層構造の圧電素子、即ち、実用化されている圧電素子と比べた場合、圧電素子全体の厚さを多少厚くして剛性を高めても、従来と同じ駆動電圧で大きく変形させることができる。
【０００７】
【特許文献１】
特開平２−２８９３５２号公報
【特許文献２】
特開平１０−３４９２４号公報
【０００８】
【発明が解決しようとする課題】
しかしながら、上記各公報に記載された多層構造の圧電素子を単に用いただけでは、所望の特性を得ることが困難であった。例えば、液体の吐出特性や送出特性がばらついたり、圧電素子の高周波駆動と液体の吐出量（送出量）とのバランスがとれなかったりしていた。また、電極に断線等が生じ易いという問題も生じた。このため、現実の製品としては、単層の圧電体を共通電極と駆動電極とで挟んだ単層構造の圧電素子を用いることを余儀なくされている。
【０００９】
本発明はこのような事情に鑑みてなされたものであり、その主たる目的は、液体の吐出（送出）特性を安定化することにある。また、本発明の他の目的は、高周波駆動しつつも必要な吐出量（送出量）を得ることにある。また、本発明のさらなる目的は、製造上の信頼性を高めること、並びに、歩留まりを向上させることにある。
【００１０】
【課題を解決するための手段】
本発明は、上記目的を達成するために提案されたものであり、請求項１に記載のものは、圧力室となる空部を有する圧力室形成基板の表面に振動板を設け、圧力室形成基板とは反対側の振動板表面であって前記圧力室に対応する位置に圧電素子を形成してなる圧電アクチュエータユニットにおいて、
前記圧電素子は、互いに積層された上層圧電体と下層圧電体とを有し、これらの上層圧電体と下層圧電体の間には第１の電極を形成し、上層圧電体の表面には第２の電極を形成し、下層圧電体と振動板の間には第３の電極を形成した多層構造であり、
前記下層圧電体の長手方向両端部を圧力室両端よりも外側に延出させた状態で形成すると共に、上層圧電体の長手方向両端部も圧力室両端よりも外側に延出させた状態で形成したことを特徴とする圧電アクチュエータユニットである。
【００１１】
ここで、「上、下」とあるのは、振動板等の支持基板を基準とした位置関係を示している。即ち、支持基板から近い側を「下」とし、支持基板から遠い側を「上」として示している。また、「圧力室に対応する位置」とは、圧力室形成基板、振動板及び圧電素子の積層方向から見て圧電素子と圧力室とが互いに重畳する位置を意味する。
【００１２】
請求項２に記載のものは、前記第２の電極と第３の電極を素子長手方向の外側に延出して互いに導通させると共に、これらの電極における下層圧電体よりも外側の部分を第１導通部とし、
前記下層圧電体の第１導通部側の端部を、同じ側に位置する上層圧電体の端部よりも素子長手方向の外側に延出したことを特徴とする請求項１に記載の圧電アクチュエータユニットである。
【００１３】
請求項３に記載のものは、前記下層圧電体における素子長手方向外側の端面と上層圧電体における素子長手方向外側の端面とを一連の傾斜面によって構成したことを特徴とする請求項２に記載の圧電アクチュエータユニットである。
【００１４】
請求項４に記載のものは、圧力室となる空部を有する圧力室形成基板の表面に振動板を設け、圧力室形成基板とは反対側の振動板表面であって前記圧力室に対応する位置に圧電素子を形成してなる圧電アクチュエータユニットにおいて、
前記圧電素子は、互いに積層された上層圧電体と下層圧電体とを有し、これらの上層圧電体と下層圧電体の間には第１の電極を形成し、上層圧電体の表面には第２の電極を形成し、下層圧電体と振動板の間には第３の電極を形成した多層構造であり、
前記上層圧電体の全長を下層圧電体の全長よりも長く設定し、上層圧電体により下層圧電体の長手方向両端を越えて覆ったことを特徴とする圧電アクチュエータユニットである。
【００１５】
請求項５に記載のものは、前記下層圧電体における長手方向端部の厚さを、長手方向先端に向かう程薄くしたことを特徴とする請求項４に記載の圧電アクチュエータユニットである。
【００１６】
請求項６に記載のものは、前記下層圧電体の長手方向両端部を圧力室両端よりも外側に延出させた状態で形成すると共に、上層圧電体の長手方向両端部も圧力室両端よりも外側に延出させた状態で形成したことを特徴とする請求項４又は請求項５に記載の圧電アクチュエータユニットである。
【００１７】
請求項７に記載のものは、前記第１の電極を素子長手方向の外側に延出し、第１の電極における下層圧電体よりも外側の部分を第２導通部としたことを特徴とする請求項１から請求項６の何れかに記載の圧電アクチュエータユニットである。
【００１８】
請求項８に記載のものは、前記第２導通部に導通される第４の電極を振動板表面に形成したことを特徴とする請求項７に記載の圧電アクチュエータユニットである。
【００１９】
請求項９に記載のものは、前記第４の電極を、外部からの駆動信号を供給するための供給端子に導通させたことを特徴とする請求項８に記載の圧電アクチュエータユニットである。
【００２０】
請求項１０に記載のものは、前記供給端子とは反対側の第４の電極の一部を下層圧電体と振動板の間に形成したことを特徴とする請求項８又は請求項９に記載の圧電アクチュエータユニットである。
【００２１】
請求項１１に記載のものは、前記第３の電極と第４の電極とを同一の導電性材料によって作製したことを特徴とする請求項８から請求項１０の何れかに記載の圧電アクチュエータユニットである。
【００２２】
請求項１２に記載のものは、前記第２の電極と第３の電極の少なくとも一方の電極と第１の電極とを、前記圧力室がその長手方向に覆われる位置まで一連に形成したことを特徴とする請求項１から請求項１１の何れかに記載の圧電アクチュエータユニットである。
【００２３】
なお、「長手方向に覆われる位置まで」とは、電極積層方向から見て各電極の先端が圧力室の長手方向の端面と略同一の位置まで形成されている状態、及び、圧力室の長手方向の端面を越えて外側まで形成されている状態の両方を含む。
【００２４】
請求項１３に記載のものは、前記下層圧電体により第３の電極をその全幅を越えて覆うと共に、前記上層圧電体により第１の電極をその全幅を越えて覆い、
上層圧電体と下層圧電体の少なくとも一方について、第１の電極よりも幅方向外側に位置する幅端部領域の厚さを、第１の電極の幅内に位置する幅中央領域の厚さよりも薄くしたことを特徴とする請求項１から請求項１２の何れかに記載の圧電アクチュエータユニットである。
【００２５】
請求項１４に記載のものは、前記圧電素子をその幅方向に複数個並べて形成したことを特徴とする請求項１から請求項１３の何れかに記載の圧電アクチュエータユニットである。
【００２６】
請求項１５に記載のものは、前記各圧電素子の第１導通部を圧電素子の幅方向に延設された幹電極によって互いに導通したことを特徴とする請求項１４に記載の圧電アクチュエータユニットである。
【００２７】
請求項１６に記載のものは、圧力室となる空部を有する圧力室形成基板の表面に振動板を設け、圧力室形成基板とは反対側の振動板表面であって前記圧力室に対応する位置に圧電素子を形成してなる圧電アクチュエータユニットと、
ノズル連通口を介して圧力室に連通されるノズル開口、及び、液体供給口を介して圧力室に連通される共通液室を少なくとも有する流路ユニットとを備え、
圧電素子の変形によって圧力室内の液体に圧力変化を生じさせ、この圧力変動を利用してノズル開口から液滴を吐出させてなる液体噴射ヘッドであって、
前記圧電アクチュエータユニットを、請求項１から請求項１５の何れかに記載の圧電アクチュエータユニットによって構成したことを特徴とする液体噴射ヘッドである。
【００２８】
請求項１７に記載のものは、互いに積層された上層圧電体と下層圧電体を有し、電場に応じて変形する圧電体層と、
互いに導通された第２の電極及び第３の電極と、駆動信号の供給源に導通される第１の電極を有し、前記圧電体層に付与される電場を発生する電極層とを備え、
前記上層圧電体と下層圧電体との間に第１の電極を形成し、第１の電極とは反対側となる下層圧電体の下部に第３の電極を、第１の電極とは反対側となる上層圧電体の上部に第２の電極をそれぞれ形成した圧電素子であって、
前記上層圧電体の全長を下層圧電体の全長よりも長く設定し、上層圧電体により下層圧電体の長手方向両端を越えて覆ったことを特徴とする圧電素子である。
【００２９】
請求項１８に記載のものは、上記下層圧電体における長手方向端部の厚さを、長手方向先端に向かう程薄くしたことを特徴とする請求項１７に記載の圧電素子である。
【００３０】
請求項１９に記載のものは、請求項１７又は請求項１８に記載の圧電素子の製造方法であって、
下層圧電体に対応する細長い印刷パターンを複数設けたマスクを介して第３の電極に重ねて圧電材料を塗布し、該圧電材料を焼成することで下層圧電体を形成する下層圧電体形成工程と、
第１の電極に対応する印刷パターンを設けたマスクを介して下層圧電体に重ねて電極材料を塗布し、該電極材料を焼成することで第１の電極を形成する第１電極形成工程と、
上層圧電体に対応する細長い印刷パターンを複数設けたマスクを介して第１の電極に重ねて圧電材料を塗布し、該圧電材料を焼成することで上層圧電体を形成する上層圧電体形成工程とを少なくとも含み、
下層圧電体形成工程で用いる印刷パターンの長手方向の全長を、上層圧電体形成工程で用いる印刷パターンの長手方向の全長よりも短く設定したことを特徴とする圧電素子の製造方法である。
【００３１】
【発明の実施の形態】
以下、本発明の実施の形態を図面に基づいて説明する。ここでは、圧電素子を用いた記録ヘッド（液体噴射ヘッドの一種）を例に挙げて説明する。図１に示するように、この記録ヘッド１は、流路ユニット２と、複数のアクチュエータユニット３…と、フィルム状の配線基板４とから概略構成されている。そして、流路ユニット２の表面に各アクチュエータユニット３…を横並びに接合し、流路ユニット２とは反対側のアクチュエータユニット３の表面に配線基板４を取り付けている。
【００３２】
流路ユニット２は、図２の断面図に示すように、オリフィスとして機能するインク供給口５及びノズル連通口６の一部となる通孔を開設した供給口形成基板７と、共通インク室（共通液室の一種）８となる通孔及びノズル連通口６の一部となる通孔を開設したインク室形成基板９と、複数のノズル開口１０…を開設したノズルプレート１１から構成されている。これらの供給口形成基板７、インク室形成基板９、及び、ノズルプレート１１は、例えば、ステンレス製の板材をプレス加工することで作製されている。なお、本実施形態では１つの流路ユニット２に３つのアクチュエータユニット３…が接合されているので、インク供給口５、ノズル連通口６、供給口形成基板７、共通インク室８等は、アクチュエータユニット３毎に合計３組形成されている。
【００３３】
そして、流路ユニット２は、インク室形成基板９の一方の表面（図中下側）にノズルプレート１１を、他方の表面（同上側）に供給口形成基板７をそれぞれ配置し、これらの供給口形成基板７、インク室形成基板９、及び、ノズルプレート１１を接合することで作製される。例えば、シート状の接着剤によって各部材を接着することで作製される。
【００３４】
上記のノズル開口１０は、図３に示すように、所定ピッチで複数個列状に開設される。そして、列設された複数のノズル開口１０…によってノズル列１２が構成される。例えば、９２個のノズル開口１０…で１つのノズル列１２が構成される。また、このノズル列１２は、１つのアクチュエータユニット３に対して２列形成される。本実施形態の記録ヘッド１は３つのアクチュエータユニット３…を備えているため、合計６列のノズル列１２…が横並びに形成される。
【００３５】
アクチュエータユニット３は、ヘッドチップとも呼ばれる部材である。このアクチュエータユニット３は、図２に示すように、圧力室２１となる通孔（本発明における空部の一種）を開設した圧力室形成基板２２と、圧力室２１の一部を区画する振動板２３と、供給側連通口２４となる通孔及びノズル連通口６の一部となる通孔を開設した蓋部材２５と、振動板２３の表面に形成されて駆動源として機能する圧電素子２６とによって構成される。これら各部材２２，２３，２５の板厚に関し、圧力室形成基板２２、及び、蓋部材２５は好ましくは５０μｍ以上、より好ましくは１００μｍ以上であり、振動板２３は好ましくは３〜１２μｍ程度であり、本実施形態では４〜６μｍである。
【００３６】
なお、このアクチュエータユニット３において、圧力室形成基板２２、振動板２３、及び、圧電素子２６が本発明の圧電アクチュエータユニットとして機能する。また、振動板２３と圧電素子２６が圧電アクチュエータを構成し、振動板２３が圧電素子２６が設けられる支持基板の一種となる。
【００３７】
このアクチュエータユニット３を作製するにあたり、まず、圧力室形成基板２２の一方の表面に蓋部材２５を、他方の表面に振動板２３をそれぞれ配置し、これらの各部材２２，２３，２５を一体化する。これらの圧力室形成基板２２、振動板２３、及び、蓋部材２５は、アルミナや酸化ジルコニウム等のセラミックスで作製されている。例えば、グリーンシート（未焼成のシート材）に対して切削や打ち抜き等の加工を施して必要な通孔等を形成し、圧力室形成基板２２、振動板２３、及び、蓋部材２５の各シート状前駆体を形成する。そして、各シート状前駆体を積層及び焼成することにより、各シート状前駆体は一体化されて１枚のシート状部材となる。そして、焼成後のシート状部材に対して圧電素子２６等を形成することでセラミックスシートが作製される。
【００３８】
この場合において、各シート状前駆体や圧電素子２６は焼成により一体化されるので、特別な接着処理が不要である。また、各部材の接合面において高いシール性を得ることもできる。
【００３９】
なお、１枚のセラミックスシートには、複数ユニット分の圧力室２１…やノズル連通口６…等が形成されている。換言すれば、このセラミックスシートは、各アクチュエータユニット３…に切断される前のアクチュエータユニット母部材となる。例えば、１つのアクチュエータユニット３となるチップ領域を１枚のセラミックスシート内にマトリクス状に複数設定し、圧電素子２６等の必要な部材を各チップ領域内に形成した後にこのセラミックスシートをチップ領域毎に切断することで、複数のアクチュエータユニット３…が作製される。
【００４０】
上記の圧力室２１は、ノズル列１２とは直交する方向に細長い空部であり、ノズル開口１０…に対応する複数形成されている。即ち、図３に示すように、ノズル列方向に列設されている。そして、各圧力室２１…の一端は、供給側連通口２４及びインク供給口５を通じて共通インク室８に連通している。また、供給側連通口２４とは反対側の圧力室２１の他端は、ノズル連通口６を通じて対応するノズル開口１０に連通する。さらに、この圧力室２１の一部（上側表面）は、振動板２３によって区画されている。
【００４１】
上記の圧電素子２６は、所謂撓み振動モードの素子であり、圧力室２１とは反対側の振動板表面に圧力室２１毎に形成される。この圧電素子２６は、圧力室長手方向に細長いブロック状であり、素子幅方向に複数並べた状態で設けられる。そして、圧電素子２６の長手方向一端に近接させて、共通電極の一部を構成する共通幹電極２７をノズル列方向に延設している。また、圧電素子２６の長手方向他端に近接させて供給端子２８…を設けている。この供給端子２８は、配線基板４の接点端子（図示せず）が導通される部材であり、圧電素子２６毎に設けられる。
【００４２】
本実施形態における圧電素子２６は、図５に示すように、圧電体層３１と共通枝電極３２と駆動電極３３等によって構成される多層構造であり、駆動電極３３と共通枝電極３２とによって圧電体層３１を挟んでいる。なお、この圧電素子２６の構造については、後で詳しく説明する。
【００４３】
そして、駆動電極３３には供給端子２８を通じて駆動信号の供給源（図示せず）が導通され、共通枝電極３２は共通幹電極２７等を通じて例えば接地電位に調整される。この駆動電極３３に駆動信号が供給されると、駆動電極３３と共通枝電極３２との間には電位差に応じた強さの電場が発生される。この電場を圧電体層３１に付与すると、圧電体層３１は電場の強さに応じて変形する。即ち、駆動電極３３の電位を高くする程、圧電体層３１は電場と直交する方向に収縮し、圧力室２１の容積を少なくするように振動板２３を変形させる。一方、駆動電極３３の電位を低くする程、圧電体層３１は電界と直交する方向に伸長し、圧力室２１の容積を増やすように振動板２３を変形させる。
【００４４】
このアクチュエータユニット３と上記の流路ユニット２とは、互いに接合される。例えば、供給口形成基板７と蓋部材２５との間にシート状接着剤を介在させ、この状態でアクチュエータユニット３を流路ユニット２側に加圧することで接着される。
【００４５】
上記構成の記録ヘッド１は、共通インク室８からインク供給口５、供給側連通口２４、圧力室２１、及び、ノズル連通口６を通じてノズル開口１０に至る一連のインク流路がノズル開口１０毎に形成されている。使用時においてこのインク流路内はインク（液体状のインクであり、本発明の液体の一種。）で満たされており、圧電素子２６を撓ませることで対応する圧力室２１が収縮或いは膨張し、圧力室２１内のインクに圧力変動が生じる。このインク圧力を制御することで、ノズル開口１０からインク滴を吐出させることができる。例えば、定常容積の圧力室２１を一旦膨張させた後に急激に収縮させると、圧力室２１の膨張に伴ってインクが充填され、その後の急激な収縮によって圧力室２１内のインクが加圧されてインク滴が吐出される。
【００４６】
ここで、インク滴の吐出量や吐出速度、吐出方向等を安定化するためには、即ち、インク滴の吐出特性を安定化するためには、定常状態における圧力室２１の容積（定常容積）を一定に保つ必要がある。この定常容積は、圧力室２１の膨張代を規定するので、定常容積が変動してしまうとインク滴の吐出量や吐出速度等も変動してしまう。そして、吐出特性を安定化するためには、圧力室２１における変形部分のコンプライアンス（即ち、振動板２３及び圧電素子２６の全体のコンプライアンス）を小さくし、定常状態におけるインク圧力の変動等の影響を受け難くすることが好ましい。
【００４７】
また、インク滴を高い周波数で吐出させるためにも、この変形部分のコンプライアンスを小さくすることが好ましい。これは、コンプライアンスが小さいと圧電素子２６の変形に対する応答性が向上するからである。さらに、従来よりも高い周波数での駆動に耐えるため、圧電素子２６の剛性を従来よりも高める必要もある。
【００４８】
このような観点から、本実施形態では、多層構造の圧電素子２６を用いている。以下、この点について説明する。
【００４９】
まず、圧電素子２６の構造について詳細に説明する。図５に示すように、この圧電素子２６は所謂ブロック状であり、その幅Ｗ（図７参照）は圧力室２１の幅と略等しく、その長さは圧力室２１の長さよりも多少長い。上記の圧電体層３１は、互いに積層された上層圧電体（外側圧電体）３４及び下層圧電体（内側圧電体）３５から構成される。また、共通枝電極３２は、共通上電極（共通外電極，本発明の第２の電極）３６及び共通下電極（共通内電極，本発明の第３の電極）３７から構成される。そして、これらの共通枝電極３２と駆動電極（本発明の第１の電極）３３とが電極層を構成する。
【００５０】
なお、ここでいう「上（外）」或いは「下（内）」とは、振動板２３を基準とした位置関係を示している。即ち、「上（外）」とあるのは振動板２３から遠い側を示し、「下（内）」とあるのは振動板２３に近い側を示している。
【００５１】
上記の駆動電極３３は個別電極として機能し、上層圧電体３４と下層圧電体３５の境界に形成される。また、共通上電極３６及び共通下電極３７は、共通幹電極２７と共に共通電極を構成する。即ち、この共通電極は、共通幹電極２７から複数の共通枝電極３２（共通上電極３６，共通下電極３７）…が延出形成された櫛歯状に形成されている。そして、共通下電極３７は駆動電極３３とは反対側の下層圧電体３５の下部であって振動板２３との間に形成され、共通上電極３６は駆動電極３３とは反対側の上層圧電体３４の上部に形成される。即ち、この圧電素子２６は、振動板２３側から、共通下電極３７、下層圧電体３５、駆動電極３３、上層圧電体３４、共通上電極３６の順で積層された多層構造である。
【００５２】
本実施形態における圧電体層３１の厚さは、幅方向の中央部分にて、上層圧電体３４と下層圧電体３５の２層を合計して約１７μｍである。そして、共通枝電極３２を含めた圧電素子２６の全体の厚さは約２０μｍである。即ち、共通下電極３７が約３μｍであり、共通上電極３６が約０．３μｍである。ここで、共通上電極３６が極めて薄いのは、圧電素子２６の変形時に支障を来さないようにするためである。なお、駆動電極３３は、約２μｍの厚さを有するが、上層圧電体３４と下層圧電体３５との間に埋設されている。
【００５３】
そして、従来の単層構造の圧電素子は素子全体の厚さが約１５μｍであるので、本実施形態では圧電素子２６の厚さが増した分だけ変形部分のコンプライアンスが小さくなっている。これにより、インク圧力の変動等に起因する圧力室２１容積の変動が抑えられると共に、圧電素子２６を高い周波数で駆動しても変形部分を追従させることができる。
【００５４】
上記の共通上電極３６及び共通下電極３７は、駆動信号に拘わらず一定の電位、例えば接地電位に調整される。上記の駆動電極３３は、供給された駆動信号に応じて電位を変化させる。従って、駆動信号の供給によって、駆動電極３３と共通上電極３６との間、及び、駆動電極３３と共通下電極３７との間には、それぞれ向きが反対の電場が生じる。
【００５５】
そして、これらの各電極を構成する材料としては、例えば、金属単体、合金、電気絶縁性セラミックスと金属との混合物等の各種導体が選択されるが、焼成温度において変質等の不具合が生じないことが要求される。本実施形態では、共通上電極３６に金を用い、共通下電極３７及び駆動電極３３に白金を用いている。
【００５６】
上記の上層圧電体３４と下層圧電体３５は共に、例えばジルコン酸チタン酸鉛（ＰＺＴ）を主成分とする圧電材料によって作製されている。そして、上層圧電体３４と下層圧電体３５とは分極方向が反対である。このため、駆動信号印加時の伸縮方向が上層圧電体３４と下層圧電体３５とで揃い、支障なく変形することができる。即ち、上層圧電体３４及び下層圧電体３５は、駆動電極３３の電位を高くする程に圧力室２１の容積を少なくするように振動板２３を撓ませ、駆動電極３３の電位を低くする程に圧力室２１の容積を増やすように振動板２３を撓ませる。
【００５７】
この場合において、圧電素子２６は多層構造であるので、各圧電体層３４，３５に付与される電場は駆動電極３３から共通上電極３６までの距離、或いは、駆動電極３３から共通下電極３７までの距離によって規定される。このため、駆動電圧が同じであっても、単層構造の圧電素子よりも強い電場を各圧電体層３４，３５に付与できる。これにより、圧電素子２６を効率よく変形させることができ、印加電圧に対する変形量を向上させることができる。
【００５８】
また、本実施形態では、定常状態の圧力室容積を一定にするため、圧電素子２６の長手方向両端部を、圧力室２１の長手方向両端を越えて外側まで形成している。即ち、図５に示すように、下層圧電体３５の長手方向両端部を圧力室２１の長手方向両端よりも外側に延出させた状態で形成すると共に、上層圧電体３４の長手方向両端部も圧力室２１の長手方向両端よりも外側に延出させた状態で形成している。そして、圧力室２１よりも長手方向外側に位置する圧電素子２６の両端部（圧電体層３１の両端部。以下、延出部ともいう。）は、圧力室形成基板２２や蓋部材２５によって支持される振動板２３の非変形部で、この振動板２３に接合される。詳しくは、共通下電極３７等の電極層を介して一体化されている。
【００５９】
このように、延出部を振動板２３の非変形部で接合しているため、圧力室２１の変形部分はその全体が振動板２３と圧電素子２６の２層構造となる。このため、変形部分のコンプライアンスが一層小さくなり、定常状態におけるインク圧力の変動をより受け難くなる。従って、圧力室２１の容積は圧電素子２６の撓み量によって規定され、一層精密な容積制御を行うことができる。
【００６０】
なお、この構成では、変形部分が振動板２３と圧電素子２６の２層構造であるので変形し難くなるが、圧電素子２６を多層構造としているので必要十分な変形量を得ることができる。
【００６１】
また、本実施形態では、圧電素子２６の形状、特に、長手方向端部の形状を工夫することにより、電極の断線等が生じ難いように構成している。以下、この点について詳細に説明する。
【００６２】
まず、共通上電極３６について説明する。図５及び図６に示すように、これらの共通上電極３６と共通下電極３７は、素子長手方向の外側に延出され、圧電素子２６の端部を越えた位置で互いに導通されている。即ち、共通下電極３７は振動板２３の表面に共通幹電極２７の形成位置まで一連に形成され、共通上電極３６は上層圧電体３４の素子長手方向の端面及び下層圧電体３５の素子長手方向の端面を通って共通下電極３７に積層される。そして、本実施形態では、この共通上電極３６も共通幹電極２７の形成位置まで一連に形成されている。
【００６３】
従って、共通上電極３６と共通下電極３７とは、下層圧電体３５の端部を越えた位置、即ち、振動板２３における非変形部で互いに導通される。このため、これらの共通上電極３６と共通下電極３７との導通部分には機械的ストレスが掛かり難くなり、導通の信頼性を長期に亘って維持することができる。また、この導通領域において、振動板２３の裏側（即ち、圧電素子形成面とは反対側）には圧力室形成基板２２が位置し、この振動板２３を支持する。このため、振動板２３の平面性を圧力室２１に対応する部分よりも高くすることができ、両電極３６，３７を一様に、即ち、欠損部を生じさせることなく形成することができる。その結果、両電極３６，３７の導通信頼性を高めることができ、歩留まりを向上させることができる。
【００６４】
また、これらの共通上電極３６と共通下電極３７に関し、下層圧電体３５よりも外側の部分が共通導通部（本発明の第１導通部）３８として機能する。そして、この共通導通部３８と共通幹電極２７（本発明の幹電極）とが互いに導通される。即ち、この共通導通部３８を通じて共通枝電極３２（３６，３７）に共通電位を供給している。この共通導通部３８は、振動板２３の非変形部に形成されているので、共通幹電極２７との導通信頼性を長期に亘って維持することができる。さらに、各圧電素子２６…は、上記したように素子幅方向に複数並べて設けられており、各共通導通部３８…の形状は同一である。このため、共通幹電極２７を直線帯状の導体パターンで構成でき、作製が容易である。また、共通幹電極２７には屈曲部が必要無いので断線等の問題も生じ難い。
【００６５】
また、本実施形態では、共通導通部３８側の圧電体層３１の形状に関し、下層圧電体３５の端部を上層圧電体３４の端部よりも素子長手方向の外側に延出している。これは、共通上電極３６の断線を防止するためである。即ち、この共通上電極３６は、上層圧電体３４の上部に形成されているので、共通下電極３７に導通させるためには素子長手方向の端面にも一様に形成する必要がある。
【００６６】
ここで、圧電素子２６が多層構造であるため、素子全体の厚さが従来の単層構造の圧電素子よりも厚くなっている。また、圧電素子２６の変形を効率よく行う観点から共通上電極３６が極めて薄いので、上層圧電体３４の端面と下層圧電体３５の端面とを揃えてしまうと、電極材料の塗布方法を工夫する等しないと端面に共通上電極３６を一様に形成することは困難である。
【００６７】
そして、本実施形態のように、下層圧電体３５の端部を上層圧電体３４の端部よりも外側に延出して階段状に設けると、上下方向の厚さ（積層方向の厚さ）が１層分で済み、マスクパターンを振動板２３の上方からあてて電極材料を塗布する所謂印刷法（厚膜印刷）であっても、共通上電極３６を圧電体層表面に一様に形成できる。従って、簡単な方法で作製できて製造効率を高めることができるし、且つ、導通の信頼性も高めることができる。
【００６８】
次に、駆動電極３３について説明する。この駆動電極３３も素子長手方向の外側（共通導通部３８とは反対側の他側）に延出され、下層圧電体３５よりも外側の部分を駆動導通部（本発明の第２導通部）３９としている。そして、この駆動導通部３９は供給端子２８の形成位置まで一連に形成され、この供給端子２８に導通されている。
【００６９】
ここで、本実施形態では、供給端子２８に導通される導通電極（本発明の第４の電極）４０を振動板２３の表面に形成しており、この導通電極４０の表面に駆動導通部３９を形成している。これは、駆動導通部３９と供給端子２８との導通信頼性を高めるためである。即ち、下層圧電体３５の外側端面と振動板表面とは、倒Ｖ字状（図では略直角のＬ字状）に交差している。このような交差面に対して電極を構成する場合、交差部への電極材料の充填が不足しがちであり、断線となってしまう虞がある。
【００７０】
そして、本実施形態のように予め振動板２３の表面に導通電極４０を形成しておき、この導通電極４０の表面に駆動電極３３を形成すると、駆動電極３３と導通電極４０の接触によって駆動電極３３と供給端子２８とが導通される。このため、導通の信頼性をより高めることができる。
【００７１】
また、この導通電極４０の素子長手方向についての形成領域、詳しくは、供給端子２８とは反対側の先端の形成位置に関し、少なくとも下層圧電体３５の先端まで形成されていれば上記した作用効果を奏する。そして、本実施形態では、この先端を、下層圧電体３５の端面を越えて共通下電極３７の手前に位置させている。なお、導通電極４０と下層圧電体３５との間には絶縁領域Ｘが設けられており、互いに電気的に絶縁されている。
【００７２】
このように導通電極４０の一部を下層圧電体３５と振動板２３の間に形成しているのは、各圧電素子２６の形成位置の公差を考慮したためである。即ち、この圧電素子２６の作製は、マスクを用いた印刷法で行われている。例えば、振動板２３の表面に共通下電極３７となる電極材料を所定のパターンで印刷した後に焼成し、次に下層圧電体３５となる圧電材料を共通下電極３７の上に積層されるように印刷して焼成する。以後は、同様な手順で、駆動電極３３、上層圧電体３４、共通上電極３６の印刷及び焼成を順次行う。
【００７３】
このように、圧電素子２６が印刷法で形成されるので、下層圧電体３５の端面が形成される位置には多少なりのばらつき（公差）が生じる。そこで、本実施形態では、導通電極４０の一部を下層圧電体３５と振動板２３の間に形成し、下層圧電体３５の形成位置が多少ばらついても駆動電極３３と導通電極４０とが確実に導通されるように構成している。
【００７４】
また、この導通電極４０は種々の電極材料で形成することができるが、共通下電極３７と同一の電極材料を用いることが好ましい。これは、製造効率を向上させるためである。上記したように、この圧電素子２６は、電極材料や圧電材料の印刷及び焼成を繰り返すことで作製される。そして、導通電極４０を共通下電極３７と同一の電極材料で形成すると、共通下電極３７の形成と導通電極４０の形成とを一度に行うことができる。即ち、１つのマスクパターンに共通下電極３７のパターンと導通電極４０のパターンとを形成することで、共通下電極３７と導通電極４０とを同じ工程で纏めて作製できる。従って、製造効率を向上させることができる。
【００７５】
また、本実施形態では、共通枝電極３２や駆動電極３３の形成範囲や圧電素子２６における幅方向の形状を工夫することにより、変形効率を高めるように構成している。以下、この点について詳細に説明する。
【００７６】
まず、共通枝電極３２や駆動電極３３の形成範囲について説明する。本実施形態では、駆動電極３３、共通上電極３６及び共通下電極３７の各電極を、圧力室２１の長手方向を覆うように一連に形成している。即ち、図５及び図６に示すように、駆動電極３３に関しては、その長さを圧力室２１よりも長く設定し、供給端子２８（駆動導通部３９）から遠い側の圧力室端面を越えた位置まで一連に形成している。また、共通上電極３６及び共通下電極３７に関しても、その長さを圧力室２１よりも長く設定し、共通幹電極２７（共通導通部３８）から遠い側の圧力室端面を越えた位置まで一連に形成している。これにより、これらの各電極の重畳領域、即ち、圧電体層３１が変形し得る活性領域ＬＡの内側に圧力室２１が位置する。言い換えれば、電極積層方向から見て活性領域ＬＡの範囲内に圧力室２１が重畳した状態となる。
【００７７】
このように、活性領域ＬＡの範囲内に圧力室２１が位置すると、上記した変形部分はその全体（即ち、圧力室２１を区画する部分）で撓む。言い換えれば、振動板２３の非変形部よりも内側の圧力室２１の範囲内で撓む。これにより、圧力室２１の容積変化量を可及的に大きくすることができ、インク滴の吐出量増加や高粘度のインクの吐出に寄与する。
【００７８】
なお、この例では、共通上電極３６と共通下電極３７の両方が圧力室２１の長手方向を覆うように形成されていたが、少なくとも一方の電極が圧力室２１の長手方向を覆うように形成されていればよい。また、各電極は、圧力室２１の端面を越えて一連に形成されていたが、電極積層方向から見て圧力室２１の端面と面一となる位置まで形成されていれば同様の効果を奏する。
【００７９】
次に、圧電素子２６における幅方向の形状について説明する。本実施形態では、駆動電極３３よりも幅方向外側に位置する幅端部領域の厚さを、駆動電極３３の幅内に位置する幅中央領域の厚さよりも薄くしている点に特徴がある。
【００８０】
図７は圧電素子２６を電極幅方向（短尺方向）に切断した図である。この圧電素子２６では、下層圧電体３５により共通下電極３７をその全幅を越えて覆うと共に、上層圧電体３４により駆動電極３３をその全幅を越えて覆っている。従って、駆動電極３３は、その大部分が両圧電体層３４，３５内に埋設された状態となる。また、駆動電極３３と共通下電極３７との間には電気絶縁性を有する下層圧電体３５が存在するので、駆動電極３３と共通下電極３７との短絡を確実に防止することもできる。
【００８１】
この圧電素子２６では、駆動電極３３よりも幅方向外側に位置する幅端部領域ＷＬ，ＷＲの厚さを、駆動電極３３の幅内に位置する幅中央領域ＷＣの厚さよりも薄く構成している。ここで、幅中央領域ＷＣは、駆動電極３３の幅方向両端のそれぞれから上下方向に設定される一対の第１仮想線Ｌ１，Ｌ１の範囲内の部分である。また、幅端部領域ＷＬ，ＷＲは、この第１仮想線Ｌ１よりも幅方向外側の部分である。さらに、図７において、幅中央領域ＷＣよりも左側の部分を左幅端部領域ＷＬとし、幅中央領域ＷＣよりも右側の部分を右幅端部領域ＷＲとする。
【００８２】
そして、上左端領域３４Ｌの厚さ及び上右端領域３４Ｒの厚さを上幅中央領域３４Ｃの厚さよりも薄く設定し、下左端領域３５Ｌの厚さ及び下右端領域３５Ｒの厚さを下幅中央領域３５Ｃの厚さよりも薄く設定すると、幅端部領域ＷＬ，ＷＲにおける各圧電体層３４，３５の応力が幅中央領域ＷＣにおける各圧電体層３４，３５の応力よりも小さくなる。このため、幅端部領域ＷＬ，ＷＲの部分が幅中央領域ＷＣの部分よりも撓み易くなり、圧電素子２６を効率よく変形させることができる。
【００８３】
ところで、本発明は、上記実施形態に限定されるものではなく、特許請求の範囲の記載に基づいて種々の変形が可能である。
【００８４】
例えば、図８に示す変形例のように、上層圧電体３４´の全長を下層圧電体３５´の全長よりも長く設定し、上層圧電体３４´によって下層圧電体３５´の長手方向両端を越えて覆うように構成してもよい。
【００８５】
このように、上層圧電体３４´で下層圧電体３５´を覆うと、共通導通部３８側に関しては、上層圧電体３４´の端部表面が比較的なだらかな傾斜面（彎曲面）を構成する。即ち、共通上電極３６の形成面に段差等が生じ難くなり、滑らかに設けることができる。これにより、共通上電極３６を上層圧電体３４´の端部表面に一様に設けることができ、欠損部の発生等を防止できて製造上の信頼性を高めることができる。そして、上層圧電体３４´の端部表面を滑らかに構成するという観点からすれば、下層圧電体３５´における長手方向端部の厚さを、長手方向先端に向かう程薄くすることが好ましい。
【００８６】
一方、駆動電極３３側に関しては、導通電極４０と駆動電極３３とが重なる場所、具体的には、下層圧電体３５´を越えてすぐの場所で上層圧電体３４´が駆動電極３３を覆う。これにより、上層圧電体３４´の先端部分が駆動電極３３の保護層としても機能し、駆動電極３３の劣化や剥離を防止し、駆動電極３３と導通電極４０の導通状態をより確実なものとすることができる。そして、この駆動電極３３側に関しても下層圧電体３５´における長手方向端部の厚さを、長手方向先端に向かう程薄くすることが好ましい。これは、駆動電極３３と導通電極４０とを確実に導通させるためである。即ち、下層圧電体３５´の端部を漸次薄く構成することで、下層圧電体３５´の端面がなだらかな傾斜面となり、駆動電極３３を一様に設けることが容易になる。これにより、製造上の信頼性を高めることができる。
【００８７】
そして、この変形例の圧電素子２６を作製するにあたっては、印刷パターン（即ち、開口部）の形状が異なる２種類のマスクを用いるのが簡便でよい。例えば、図９に示すように、下層圧電体３５´に対応する細長い印刷パターンＰ１を複数設けた第１のマスクＭ１と、上層圧電体３４´に対応する細長い印刷パターンＰ２を複数設けた第２のマスクＭ２とを用いる。
【００８８】
ここで、印刷パターンＰ１は、その長さＰＬ１が下層圧電体３５´の素子長手方向の長さに設定され、その幅ＰＷが圧電素子２６の幅に設定された矩形状（細長い帯状）の開口部であり、その幅方向に複数並べられた状態で設けられている。また、印刷パターンＰ２は、その長さＰＬ２が上層圧電体３４´の素子長手方向の長さに設定され、その幅ＰＷが圧電素子２６の幅に設定された矩形状の開口部である。言い換えると、この印刷パターンＰ２は、その長さＰＬ２が印刷パターンＰ１の長さＰＬ１よりも長く、その幅ＰＷが印刷パターンＰ１と同じ幅に設定された矩形状の開口部である。そして、この印刷パターンＰ２も、印刷パターンＰ１と同様に、その幅方向に複数並べられた状態で設けられている。
【００８９】
次に、これらのマスクＭ１，Ｍ２を用いて変形例の圧電素子２６を作製する手順について説明する。
【００９０】
この場合、まず、共通下電極形成工程にて共通下電極３７を焼成後のシート状部材に形成する。例えば、焼成後のシート状部材における振動板表面に、共通下電極３７及び導通電極４０用の印刷パターンを設けたマスクを載置し、このマスクを介してペースト状の電極材料を振動板表面に塗布する。電極材料を塗布したならば、この電極材料を焼成して共通下電極３７及び導通電極４０を形成する。
【００９１】
これらの共通下電極３７及び導通電極４０を形成したならば、下層圧電体形成工程に移行して下層圧電体３５を形成する。この下層圧電体形成工程では、これらの電極３７，４０上に印刷パターンＰ１が重なるように第１のマスクＭ１を載置し、このマスクを介してペースト状の圧電材料を塗布する。これらの電極３７，４０上に圧電材料を塗布したならば、この圧電材料を焼成して下層圧電体３５´を形成する。
【００９２】
下層圧電体３５´を形成したならば、駆動電極形成工程（本発明の第１電極形成工程）に移行して駆動電極３３を形成する。この駆動電極形成工程では、下層圧電体３５´上に駆動電極用の印刷パターンが重なるようにマスクを載置し、このマスクを介してペースト状の電極材料を塗布する。そして、これらの下層圧電体３５´上に電極材料を塗布したならば、この電極材料を焼成して駆動電極３３を形成する。
【００９３】
駆動電極３３を形成したならば、上層圧電体形成工程に移行して上層圧電体３４´を形成する。この上層圧電体形成工程では、下層圧電体３５´の長手方向両端が印刷パターンＰ２の長手方向内側に収まるように第２のマスクＭ２を載置し、このマスクＭ２を介してペースト状の圧電材料を塗布する。即ち、塗布した圧電材料によって下層圧電体３５´の長手方向両端が埋設されるように覆う。そして、圧電材料を塗布したならば、この電極材料を焼成して上層圧電体３４´を形成する。
【００９４】
以後は、同様な手順で、共通上電極３６，共通幹電極２７，供給端子２８等を形成する。この場合において、上層圧電体３４´により下層圧電体３５´の長手方向両端を覆っているので、上記したように、上層圧電体３４´の両端部表面が比較的滑らかになり、共通上電極３６を一様に（必要な所に欠損なく）設けることができる。また、駆動電極３３を上方から覆うので、駆動電極３３と導通電極４０の電気的導通の信頼性を高めることができる。
【００９５】
また、図１０（ａ）に示すように、供給端子２８を端子基板４１上に形成し、導通電極４０´の供給端子２８側の部分を端子基板４１上に形成してもよい。この場合において、端子基板４１は導電性を有する焼成材料、例えば、銀ペーストを用いて作製することが好ましい。
【００９６】
また、この図に示すように、供給端子２８側については、上層圧電体３４の端面と下層圧電体３５の端面を面一に形成してもよい。
【００９７】
また、図１０（ｂ）に示すように、共通幹電極２７（共通導通部３８）側に関し、下層圧電体３５における素子長手方向外側の端面と上層圧電体３４における素子長手方向外側の端面とを一連の傾斜面Ｙによって構成してもよい。このように構成すると、断線の要因となり得る凹凸（段差）が生じ難いので、共通上電極３６をこの傾斜面Ｙ上に一様に形成し易い。従って、駆動導通部３８（共通上電極３６）の断線防止に寄与する。
【００９８】
なお、以上は、液体噴射ヘッドの一種である記録ヘッド１を例に挙げて説明したが、本発明は、液晶噴射ヘッドや色材噴射ヘッド等といった他の液体噴射ヘッド、或いは、これらの液体噴射ヘッドに用いられる圧電アクチュエータユニット及び圧電素子にも適用できる。また、マイクロポンプ等の各種装置に用いられる圧電アクチュエータユニット及び圧電素子にも適用することができる。
【００９９】
【発明の効果】
以上説明したように、本発明によれば以下の効果を奏する。
【０１００】
即ち、互いに積層された上層圧電体と下層圧電体とを有し、これらの上層圧電体と下層圧電体の間には第１の電極を形成し、上層圧電体の表面には第２の電極を形成し、下層圧電体と振動板の間には第３の電極を形成した多層構造の圧電素子を用い、下層圧電体の長手方向両端部を圧力室両端よりも外側に延出させた状態で形成すると共に、上層圧電体の長手方向両端部も圧力室両端よりも外側に延出させた状態で形成したので、振動板と圧電素子とで構成される圧力室の変形部分のコンプライアンスを小さくすることができ、定常状態における圧力室容積の変動を確実に抑えることができる。これにより、液体の吐出特性や送出特性を安定化することができる。また、変形部分のコンプライアンスを小さくすることができることから高周波駆動にも適する。
【０１０１】
さらに、圧電素子が多層構造であるので変形効率を高めることができる。これにより、コンプライアンスの減少に起因する変形部分の変形量減少を補うことができる。従って、高周波駆動しつつも必要量の液体を吐出或いは送液することができる。
【０１０２】
また、下層圧電体の第１導通部の端部を、同じ側に位置する上層圧電体の端部よりも素子長手方向の外側に延出した場合には、第２の電極の断線防止が図れ、歩留まりの向上が図れる。
【０１０３】
また、上層圧電体の全長を下層圧電体の全長よりも長く設定し、上層圧電体により下層圧電体の長手方向両端を越えて覆った場合には、上層圧電体における第２の電極形成面に段差等が生じ難くなり、滑らかに設けることができる。これにより、第２の電極を一様に設けることができ、欠損部の発生等を防止できて製造上の信頼性を高めることができる。
【０１０４】
また、第２の電極と第３の電極を素子長手方向の外側に延出して互いに導通させると共に、これらの電極における下層圧電体よりも外側の部分を第１導通部とし、第１の電極を第１導通部とは反対側となる素子長手方向の外側に延出した場合、及び、第１の電極における下層圧電体よりも外側の部分を第２導通部とした場合には、第１導通部や第２導通部を変形部分から外れた非変形部に形成できる。このため、当該部分に端子や電極を設けて導通させても、その導通部分の接続信頼性を長期間に亘って維持することができる。
【０１０５】
また、供給端子に導通される第４の電極を振動板表面に形成し、該第４の電極の表面に第２導通部を形成した場合には、第２導通部の断線防止が図れ、歩留まりの向上が図れる。
【０１０６】
また、第２の電極と第３の電極の少なくとも一方の電極と第１の電極とを、圧力室がその長手方向に覆われる位置まで一連に形成した場合には、圧力室の変形部分全体を変形させることができ、必要な吐出量（送液量）が確保できる。
【０１０７】
また、下層圧電体により第３の電極をその全幅を越えて覆うと共に、前記上層圧電体により第１の電極をその全幅を越えて覆い、上層圧電体と下層圧電体の少なくとも一方について、第１の電極よりも幅方向外側に位置する幅端部領域の厚さを、第１の電極の幅内に位置する幅中央領域の厚さよりも薄くした場合には、変形部分における変形効率を高めることができ、必要な吐出量（送液量）が確保できる。
【図面の簡単な説明】
【図１】記録ヘッドの構成を説明する分解斜視図である。
【図２】アクチュエータユニット及び流路ユニットを説明する断面図である。
【図３】ノズルプレートを説明する部分拡大図である。
【図４】アクチュエータユニットを圧電素子側から見た斜視図である。
【図５】（ａ）は圧電素子の平面図、（ｂ）は長手方向に切断した圧電素子の断面図である。
【図６】（ａ）は供給端子側の圧電素子の端部構造を示す部分拡大断面図、（ｂ）は共通幹電極側の圧電素子の端部構造を示す部分拡大断面図である。
【図７】（ａ），（ｂ）は、圧電素子を幅方向に切断した断面図である。
【図８】変形例を説明する図であり、（ａ）は供給端子側の圧電素子の端部構造を示す部分拡大断面図、（ｂ）は共通幹電極側の圧電素子の端部構造を示す部分拡大断面図である。
【図９】（ａ）及び（ｂ）は、変形例の圧電素子を作製する際に用いるマスクを説明する図である。
【図１０】他の変形例を説明する図であり、（ａ）は、供給端子側の圧電素子の端部構造を示す部分拡大断面図（ｂ）は、共通幹電極側の圧電素子の端部構造を示す部分拡大断面図である。
【符号の説明】
１　記録ヘッド
２　流路ユニット
３　アクチュエータユニット
４　配線基板
５　インク供給口
６　ノズル連通口
７　供給口形成基板
８　共通インク室
９　インク室形成基板
１０　ノズル開口
１１　ノズルプレート
１２　ノズル列
２１　圧力室
２２　圧力室形成基板
２３　振動板
２４　供給側連通口
２５　蓋部材
２６　圧電素子
２７　共通幹電極
２８　供給端子
３１　圧電体層
３２　共通枝電極
３３　駆動電極
３４，３４´　上層圧電体
３５，３５´　下層圧電体
３６　共通上電極
３７　共通下電極
３８　共通導通部
３９　駆動導通部
４０，４０´　導通電極
４１　端子基板